(57)【要約】【課題】  複数のノード間で光トラフィックを送信する光ネットワークに関して、光りネットワーク内のノード間の通信に用いられる光の波長資源を有効に利用する必要がある。【解決手段】  光ネットワークの複数のノードは光伝送路に沿って起端となる主査ノードと、終端となる終端ノードと、主査ノードと終端ノードの間にあるノードでネットワークグループを構成する。  終端ノードはネットワークグループの伝送路の使用を割り当てる制御信号をネットワークグループの中の主査ノードと，主査ノードと終端ノードの間のノードに対して送信する。【選択図】図１
2006262479.tif 000002
【特許請求の範囲】
【請求項１】
複数のノード間で光トラフィックを送信する光ネットワークにおいて、
該光ネットワークの該複数のノードは光伝送路に沿って起端となる主査ノードと、終端となる終端ノードと、該主査ノードと該終端ノードの間にあるノードでネットワークグループを構成し、
該終端ノードは該ネットワークグループの伝送路の使用を割り当てる制御信号を該ネットワークグループの中の該主査ノードと，該主査ノードと該終端ノードの間のノードに対して送信する
ことを特徴とする光ネットワーク。
【請求項２】
請求項１の光ネットワークにおいて、該ネットワークグループで送る光トラフィックは第１の波長であり、該制御信号は該第１の波長と異なる第２の波長であることを特徴とする光ネットワーク。
【請求項３】
請求項１の光ネットワークにおいて、該ノードは前段の該ノードからの光を２分岐し、一方を後段の該ノードに送り、他方を自ノードに取り込むことを特徴とする光ネットワーク。
【請求項４】
光ネットワーク内で光トラフィックを送信するノードにおいて、
該ノードは該光ネットワーク内の光伝送路に沿って配置されている複数のノードで構成されたネットワークグループの該光伝送路の終端のノードであって、
該光伝送路の使用を割り当てる制御信号を該ネットワークグループの中の該伝送路の起端にあるノードと，該起端にあるノードと該終端にあるノードの間のノードに対して送信する
ことを特徴とするノード。
【請求項５】
光ネットワーク内で光トラフィックを送信するノードにおいて、
該ノードは該光ネットワーク内の光伝送路に沿って配置されている複数のノードで構成されたネットワークグループの起端のノードであって、
該光伝送路に沿って配置されている他のノードに該ネットワークグループを構成するための制御信号を送信する
ことを特徴とするノード。
【請求項６】
光ネットワーク内で光トラフィックを送信するノードにおいて、
該光ネットワーク内の他のノードと光伝送路に沿って光ネットワークグループを構成するための信号を送信するための手段と、
該ネットワークグループ内の他のノードに該光伝送路の使用を割り当てる制御信号を送信するための手段
を有することを特徴とするノード。
【発明の詳細な説明】
【技術分野】
【０００１】
本発明は、一般的には、光ネットワークに関し、より特定的には、光学的な光進路（ライトトレール）からなる光のネットワークグループを光通信ネットワーク内において実施するためのシステムおよび方法に関する。
【背景技術】
【０００２】
電気通信システム、ケーブルテレビジョンシステム、およびデータ通信システムネットワークは、光ネットワークを使用して、大量の情報を遠隔ポイント間で高速に伝達する。光ネットワークにおいて、情報は、光信号の形式で光ファイバを通じて伝達される。光ファイバは、光信号を長距離に渡って非常に低い信号強度損失で送信することが可能な細いガラスの撚り線からなる。
【０００３】
近年は、電気通信システムの使用の爆発的な増加が見られている。電気通信サービスに対する需要が大きくなり続けるにつれて、光ネットワークにとって、そのようなネットワーク上で通信される情報量の増加は、急速に大きな負担となっている。
【０００４】
しかしながら、新たなネットワークの追加または既存のネットワークの拡張は、非常にコストがかかるので、この問題の現実的な解決策ではない。よって、ネットワークリソースの効率的な使用が、光ネットワークの開発および運営において重要な目標となっている。
【０００５】
光ネットワークは、波長分割多重（ＷＤＭ）または高密度波長分割多重（ＤＷＤＭ）をしばしば使用して、送信容量を高めている。ＷＤＭおよびＤＷＤＭネットワークにおいて、数多くの光チャンネルが、各ファイバにおいて、互いに異なる波長で搬送される。
【０００６】
ネットワーク容量は、各ファイバにおける波長、言い換えればチャンネルの数、およびチャンネルの帯域幅、言い換えれば大きさに基づく。
【０００７】
ネットワークノードにおいてＷＤＭ挿入／分岐装置を使用することにより、合成信号全体が十分に多重分離されて、その構成要素チャンネルとすることができ、切り換えられる（挿入／分岐されるか、または通過される）。
【０００８】
そのようなネットワークにおいて、あるネットワークノードから他のネットワークノードへのトラフィックは、トラフィックがネットワーク上を通信される際の特定の波長にしばしば割り当てられる。
【０００９】
互いに異なるトラフィックストリームを互いに異なる波長に割り当てることによって、互いに異なるトラフィックストリーム間の干渉が防止される。
【００１０】
しかしながら、ある場合には、これではネットワークにおける効率が悪くなる。
【００１１】
例えば、特定の波長に割り当てられたトラフィックが波長に関連した帯域幅（容量）の大部分を典型的には使用しない場合には、効率が悪くなる。
【００１２】
即ち、特定のノード間でトラフィックを伝送するため、特定の波長を割り振るも、当該ノード間でバーストモードの伝送を行った場合、データ伝送を行っていない時間は割り付けた波長の光が有効に活用されていないことになる。
【特許文献１】国際公開第０３／１０４８４９号パンフレット
【発明の開示】
【発明が解決しようとする課題】
【００１３】
本発明の目的は、光ネットワーク内のノード間に固定的に割付けられた波長の光で、ノード間でバースト的に通信を行うシステムにおいて、当該ノード間の中にあるノード（ノード間の全てのノード）が当該ノード間の光伝送路に割付けられた波長の光で、トラフィックを送付できる技術を提供することである。
【課題を解決するための手段】
【００１４】
本発明は、上述した目的を達成するために以下の構成を採用する。
【００１５】
第１の手段として、光ネットワークは、
複数のノード間で光トラフィックを送信する光ネットワークにおいて、
該光ネットワークの該複数のノードは光伝送路に沿って起端となる主査ノードと、終端となる終端ノードと、該主査ノードと該終端ノードの間にあるノードでネットワークグループを構成し、
該終端ノードは該ネットワークグループの伝送路の使用を割り当てる制御信号を該ネットワークグループの中の該起端ノードと，該起端ノードと該終端ノードの間のノードに対して送信する。
【００１６】
第２の手段として、光ネットワークは第１の手段において、該ネットワークグループで送る光トラフィックは第１の波長であり、該制御信号は該第１の波長と異なる第２の波長にする。
【００１７】
第３の手段として、光ネットワークは第１の手段において、該ノードは前段の該ノードからの光を２分岐し、一方を後段の該ノードに送り、他方を自ノードに取り込む。
【００１８】
第４の手段として、光ネットワーク内で光トラフィックを送信するノードにおいて、
該ノードは該光ネットワーク内の光伝送路に沿って配置されている複数のノードで構成されたネットワークグループの該光伝送路の終端のノードであって、
該光伝送路の使用を割り当てる制御信号を該ネットワークグループの中の該伝送路の起端にあるノードと，該起端にあるノードと該終端にあるノードの間のノードに対して送信する。
【００１９】
第５の手段として、光ネットワーク内で光トラフィックを送信するノードにおいて、
該ノードは該光ネットワーク内の光伝送路に沿って配置されている複数のノードで構成されたネットワークグループの該光伝送路の起端のノードであって、
該光伝送路に沿って配置されている他のノードにネットワークグループを構成するための制御信号を送信する。
【００２０】
第５の手段として、
光ネットワーク内で光トラフィックを送信するノードにおいて、
該光ネットワーク内の他のノードと光伝送路に沿って光ネットワークグループを構成するための信号を送信するための手段と、
該ネットワークグループ内の他のノードに該光伝送路の使用を割り当てる制御信号を送信するための手段を有する。
【発明の効果】
【００２１】
本発明によれば、光ネットワーク内の光伝送路に沿って複数のノードからなるネットワークのグループを構成し、グループ内のノードが固定的に割付けられた波長で、それぞれ、光トラフィックを送信することができる。
【００２２】
従って、特定ノード間で行われる通信がバーストモードの通信の時に、光ネットワーク内で使用される光の波長を効率的に利用することができる。
【発明を実施するための最良の形態】
【００２３】
光通信ネットワークにおいて光学的な光進路（ライトトレール）を実施するためのシステムおよび方法を提供する。
【００２４】
光進路（ライトトレール）とは、特定波長で複数のノードが一つの波長を共有して伝送を行うシェアードウェーブレングスを行うためのネットワークグループとなり、そのネットワークグループの起端と成るノードと終端となるノード間の共有波長の光路を意味する。
【００２５】
一実施形態において、数多くのノード間の多重化された波長において光トラフィックを搬送する光ネットワークが提供される。光ネットワークの中に、波長のうちの１つに関連し、光進路の起端となる主査ノードと光進路の終端となる終端ノードとの間に確立された少なくとも１つの光進路の中に１つまたはそれ以上の介在ノードを含むネットワークのグループを構成する。
【００２６】
また、光ネットワークは、光進路とは異なる波長に関連する帯域外制御チャンネルを含む。制御チャンネルを使用して、制御メッセージを通信し、光進路を確立すると共に、主査ノードおよび介在ノードによる光進路の使用を割り当てる。
【００２７】
主査ノード、１つまたはそれ以上の介在ノード、および終端ノードは、それぞれ、数多くの多重化された波長において光トラフィックを光ネットワークから受信し、多重化された光トラフィックの第１のコピーを光ネットワークから分岐し、多重化された光トラフィックの第２のコピーを光ネットワーク上で転送するように動作可能である。
【００２８】
また、これらのノードは、分岐された第１のコピーの選択された波長において光トラフィックを転送して、ノードに関連した１つまたはそれ以上のクライアント装置への通信に供する。
【００２９】
さらに、ノードは、ノードの１つまたはそれ以上のクライアント装置から受信されたトラフィックを１つまたはそれ以上の波長におけるクライアント光トラフィックに変換し、クライアント光トラフィックを第２のコピーまたは第２のコピーの修正版に受動的に挿入して結合された信号を形成し、結合された信号をネットワークへ転送する。
【００３０】
本発明のある実施形態の技術的利点には、光ネットワーク上で送信リソースを使用するための効率的な手法が含まれる。より特定的には、本発明の特定の実施形態において、光ネットワークのノードは、１つまたはそれ以上の他のノードを含む光学的な「光進路」を確立して、光トラフィックの送信に供することができる。
【００３１】
そのような光進路は、光進路に含まれるノードのグループによって共有されて、トラフィックを光進路に含まれる他のノードへ送信することができる。そのような光進路の使用により、光ネットワークにおいて情報をより効率的に通信することができるだろう。
【００３２】
なぜならば、数多くのノードが、光進路が確立している波長によって提供された帯域幅を共有できるからである。
【００３３】
本発明の様々な実施形態は、列挙された技術的利点のいくつかまたはすべてを含んでもよく、またはそのいずれも含まなくてもよいことが理解されるだろう。加えて、本発明の他の技術的利点は、当業者にとって、本明細書に含まれる図面、説明、および請求項から容易に明らかであろう。
【００３４】
以下、図面を参照して本発明の実施形態について説明する。実施形態の構成は例示であり、本発明は実施形態の構成に限定されない。
【００３５】
図１は、本発明の一実施形態に係る光ネットワーク１０を示す。光ネットワーク１０は、光リング２０に結合された複数のノード１４を含む。動作中、ノード１４は、光リング２０上で、複数の波長のうちの１つでトラフィックを受信する。
【００３６】
特に、図１の光進路３０のような光進路（ライトトレール）を確立して、その上を、ノード１４が、その光進路上にある他のノード１４へ光トラフィックを送信できる。光進路に含まれるノードは、光進路を適宜共有して、光進路に含まれる他のノードへ、光進路に関連した波長で情報を送信する。よって、光進路は、光伝送路内の光路（光波長回路）を総括したものであって、光路に沿った複数のノードが、光路に沿った通信に参加することができるというようなことである。
【００３７】
したがって、これらの光進路を使用することによって、単一のノードから他のノードへ通信されるトラフィックに対する波長割り当てに関連して上述した非効率性に対処する。加えて、光進路通信によって、光マルチキャスティングおよび動的な措置が可能となる。
【００３８】
光進路通信を可能にするノード１４は、ノード１４が光進路を実施できるようにする固有の特徴を有する。例えば、これらの特徴には、分岐および継続機能（ノードの要素によって受信されたトラフィックが分岐および転送されて、トラフィックが光進路に沿って継続するようにする場合）と、ノードによるトラフィックの受動的な挿入（この場合の「受動的な」とは、動力、電気、および／または可動部分を使用する光スイッチを使用しないでトラフィックを挿入することを意味する）と、帯域外制御チャンネル（ネットワーク１０上に通信されているデータを有するバンド内の制御信号とは対照的に）の使用とが含まれる。
【００３９】
以下に説明するように、図２〜４は、これらの特徴を含むノード１４の特定の実施形態を示す。
【００４０】
図１を再び参照して、単一の光進路３０を示しているが、ノード１４は、光ネットワーク１０によって使用される１つまたはそれ以上の波長上で光進路を確立してもよく、複数の互いに重ならない光進路が、特定の時間に特定の波長で存在してもよい。
【００４１】
光ネットワーク１０における特定の光進路上で同時に送信する複数のノード１４によって生じた光干渉を防止するために、ノード１４は、以下に説明するような、光進路を共有するための特定の手法を使用できる。したがって、２つのレベルの光進路に関連した「アービトレーション」がある。
【００４２】
第１のレベルは、特定の要求に応じた光進路の確立および終了であると共に、光進路の「寸法記入」（起端のノードと終端のノードの設定）である。
【００４３】
アービトレーションの第２のレベルは、光進路の光伝送路の使用を光進路におけるノードへ割り当てることである。ノードは、動的なベースにおける、規定のルールまたはヒューリステッィクス、規定の帯域幅割り当てアルゴリズム、（後述のような）「ラウンドロビン」手法に従って、および／または任意の他の適切な手法を使用して、波長が割り当てられてもよい。
【００４４】
図１は、リングネットワーク１０の特定の実施形態および構成を示しているが、本発明に従って、網目状、線状、または他の適切な種類の光ネットワークを使用してもよい。図示の実施形態において、ネットワーク１０は、数多くの光チャンネルが共通の送信媒体上で互いに異なる波長において搬送される光ネットワークである。例えば、ネットワーク１０は、波長分割多重（ＷＤＭ）ネットワーク、高密度波長分割多重（ＤＷＤＭ）ネットワーク、または他の適切なマルチチャンネルネットワークであってもよい。ネットワーク１０は、短距離都市ネットワークのすべてまたは一部、長距離都市間ネットワーク、もしくは任意の他の適切なネットワークまたはネットワークの組み合わせを表してもよい。ネットワーク１０は、単一の単方向ファイバ、単一の双方向ファイバ、もしくは複数の単または双方向ファイバを適宜含んでもよい。
【００４５】
光リング２０は、図示の実施形態において、単方向ファイバの対である、第１のファイバ１６および第２のファイバ１８を備え、それぞれ、トラフィックを反時計回りおよび時計回り方向に伝送する。光リング２０は、複数のノード１４ａ〜１４ｆを結合し、光トラフィックは、光リング２０上でノード１４間を伝搬する。本明細書に使用されているように、「トラフィック」とは、ネットワークにおいて送信され、記憶され、またはソートされた情報を意味する。そのようなトラフィックは、音声、映像、テキスト、リアルタイム、非リアルタイム、および／または他の適切なデータを符号化するために変調された、少なくとも１つの特徴を有する光信号を備えてもよい。
【００４６】
変調は、位相変移変調（ＰＳＫ）、輝度変調（ＩＭ）、および他の適切な手法に基づいてもよい。加えて、このトラフィックによって搬送される情報は、任意の適切なやり方で構成されてもよい。
【００４７】
以下の説明は、光リング２０上のトラフィックを光フレームの形式で通信するネットワーク１０の一実施形態を中心としてきたが、ネットワーク１０は、パケットとしてのフレームの形式、または任意の他の適切なやり方で構成されたトラフィックを通信するように構成されてもよい。
【００４８】
確立された光進路を使用して、ノード１４は、各ノード１４に対して複数のクライアントポートを通じて結合された複数のクライアント装置（図示せず）間の通信を行う。以下により詳細に説明するように、各ノード１４は、当該ノード１４に結合されたクライアント装置からのトラフィックを受信して、光リング２０に対するこのトラフィックを、光リング２０上を伝搬する光トラフィックに挿入できる。
【００４９】
また、各ノード１４は、光リング２０からトラフィックを受信し、かつ、パーソナルコンピュータ（ＰＣ）、電話、ファクシミリ装置、ハードドライブ、ウェブサーバ、および／または任意の他の適切な通信装置のようなノード１４のクライアント装置宛てのトラフィックを分岐してもよい。
【００５０】
図１は特定の数のノード１４を含むネットワーク１０の一実施形態を示しているが、ネットワーク１０は、任意の適切なやり方で構成された、任意の適切な数のノード１４を含むことができる。
【００５１】
動作において、ノード１４は、ノード１４によって受信された、ノード１４に結合されたクライアント装置からの電気信号に基づいて、１つまたはそれ以上の波長での光トラフィックを生成し、この光トラフィックを、光リング２０上を伝搬する光トラフィックに挿入する。また、ノード１４は、光リング２０上を伝搬する、１つまたはそれ以上のクライアント宛のトラフィックを受信して分岐する。この説明の目的で、ノード１４は、該当するノード１４の一部またはそれに結合された任意の適切な構成要素へトラフィックのコピー（分岐した光り信号）を送信することによって、トラフィックを「分岐」してもよい。その結果、ノード１４は、トラフィックをこれらの構成要素へ送信する一方で、トラフィックが光リング２０上の下流構成要素へ継続できるようにすることによって、トラフィックを光リング２０から分岐してもよい。各ノード１４は、当該ノード１４がトラフィックを受信するように構成された特定の波長上で受信されたトラフィックを分岐して電気的に変換し、他の波長において送信されたトラフィックを分岐または廃棄することはない。いったんトラフィックが光リング２０から分岐されると、ノード１４は、分岐されたトラフィックの光電気変換を行ってもよい。その後、ノード１４は、トラフィック内のアドレス指定情報に基づき、当該ノード１４に結合されたクライアント装置宛てのこのトラフィックの部分を抽出する。
【００５２】
ある実施形態において、各ノード１４は、アドレス指定情報に基づいてトラフィックまたはその一部分を複数のクライアント装置のうちの１つまたはそれ以上に転送してもよい切り換え部（図１には図示せず）を備える。
【００５３】
ノード１４は、特定の光進路に関連した波長を時分割するので、光進路を中心とするネットワークを介するデータフローパターンは、複数のノード１４からのデータストリームのインターリービングにより、ある程度は本質的に「バースト的」な場合がある。しかしながら、ノード１４に関連したクライアント装置（典型的には、レイヤ２装置）は、光レイヤーが途切れない通信を装置に提供するだろうと期待している。したがって、（光進路の帯域幅の時分割による）バースト的な光層と継続的なクライアント層との間のインターフェイスを容易にするために、ノード１４は、バーストポンダと称される装置を含む。
【００５４】
バーストポンダは、ノード１４が波長を時分割できるようにする一方で、波長が継ぎ目なく継続的に利用可能であるという印象をクライアント装置に生じさせる装置である。そのようなバーストポンダを、図２〜４と共にさらに詳細に説明する。
【００５５】
加えて、ノード１４は、光進路３０を確立して、光トラフィックのいくつかまたはすべてを光進路３０上で送信または受信するように構成されてもよい。光進路３０は、光ネットワーク１０における任意の２つまたはそれ以上の構成要素を接続するファイバの一部上の光路を表す。図１に、光進路３０をファイバ１６の影付部分として示す。いったん光進路３０が確立されると、光進路３０に接続された任意のノード１４は、トラフィックが光進路３０に沿って伝搬している方向で、送信ノード１４から下流に位置するノード１４に対して、光トラフィックを光進路３０上で送信できる。特定のノード１４は、任意の時に光進路３０を停止または再構成できる。加えて、上述のように、特定の実施形態において、各光進路が特定の波長を有する複数の光進路が光リング２０において確立することができる。さらに、複数の互いに重ならない光進路が、共通の波長に関連付けられる。
【００５６】
光進路を確立する際の光ネットワーク１０の特定の実施形態の動作を、図５Ａ〜５Ｃに示す。
【００５７】
上述のように、光進路の確立および共有を調和させるために、光ネットワーク１０は、光監視チャンネル（ＯＳＣ）、もしくはノード１４および／または光ネットワーク１０の他の構成要素間で制御信号がやり取りされる他の帯域外制御チャンネルに対応している。ノード１４は、ＯＳＣ上で制御メッセージをやり取りして、光進路を開始および停止、ならびに確立された光進路の使用の管理を行ってもよい。特定の一実施形態において、ＯＳＣは、光ネットワーク１０によって使用される複数の波長のうち、制御信号専用の１つまたはそれ以上の波長を表す。代わりに、ＯＳＣは、ノード１４が制御信号をやり取りするであろう光リング２０における別個のファイバを表してもよい。特定の実施形態において、特定の光信号に関連した制御信号は、当該光進路におけるトラフィックの方向、当該光進路上のトラフィックの方向と逆の方向、またはＯＳＣの両方向でＯＳＣ上を送信されてもよい。
【００５８】
光進路の使用は、ノード１４間のトラフィックのより効率的な送信をもたらすことができる。特定の実施形態において、ノード１４は、光進路を使用して、すべてのトラフィックを送信するように構成されてもよいし、特定の光進路上を流れるトラフィック量が特定の閾値を超える場合、または特定のノード１４が遅れることのできないトラフィックを送信できない場合（他のノード１４による光進路の使用により）に、追加の光進路を確立してもよい。しかしながら、一般的に、ノード１４は、任意の適切な基準、要因、または考察に基づいて、光進路を確立するように構成されてもよい。
【００５９】
光ネットワーク１０の特定の実施形態において、ノード１４は、図６Ａおよび６Ｂにおいて以下に説明するように、「ラウンドロビン」または「重み付けラウンドロビン」システムを通じて光進路の使用を共有してもよい。他の実施形態において、特定のノード１４が既存の光進路の使用が認められて、当該ノード１４に関連した優先度に基づいて、光トラフィックを他のノード１４に送信する。よって、１つ以上のノード１４が同一の光進路上で同時に光トラフィックを送信しようと試みている場合には、光ネットワーク１０の要素が、競合ノード１４の優先度の比較に基づいて、どのノード１４に当該光進路の使用を認めるかを決定してもよい。
【００６０】
これらの手法または光進路を共有するための他の適切な手法によって、あるノード１４による送信またはある情報の送信が他の送信よりも優先度が与えられてもよいといった、情報のより効率的な通信が行われるようになってもよく、例えば、特定のノード１４が、その送信についての最小サービス品質（ＱｏＳ）要件を満たすことができる。
【００６１】
図２〜４は、光進路を実施する光ネットワークにおいて使用されうるノードの特定の実施形態を示すブロック図である。一例として、これらのノードは、図１のリングネットワーク１０の例におけるノード１４として使用されてもよく、また、光進路を実施するためのネットワークの任意の他の種類におけるノードとして使用されてもよい（以下の説明の目的で、図２〜４に示すノードを、図１のネットワーク１０に結合されたノード１４であるように説明する）。
【００６２】
図２は、光進路を実施する際に使用されるノード４０の特定の一実施形態を示すブロック図である。図示のように、ノード４０は、搬送部５０ａおよび５０ｂと、分配／結合部８０ａおよび８０ｂと、管理部１２０と、ドロップ部１３０と、アド部１４０と、バーストポンダ１５０と、切り換え部１６０とを含む。搬送部５０は、ファイバ１６および１８にトラフィックを挿入、およびそこからトラフィックを分岐する。
【００６３】
より特定的には、搬送部５０は、ファイバ１６および１８上を伝搬する光信号の１つまたはそれ以上のコピーを生成して、これら光信号において搬送されるトラフィックの特定の部分を、ノード４０に結合された装置へ通信できる。加えて、搬送部５０は、ノード４０によって生成された、またはノード４０のクライアント装置から受信したトラフィックをファイバ１６および１８に挿入するのに適切な部（エレメント）を含むことができる。例えば、図示の実施形態において、各搬送部５０は、搬送部５０によって受信されたトラフィックを２つのコピーに分割して、トラフィックの１つのコピーをドロップ部１３０へ転送する一方で、もう１つのコピーを該当ファイバに沿って転送するカプラ６０ａを含む。さらに、各搬送部５０は、アド部１４０から受信されたトラフィックを既に関連ファイバ上を伝搬するトラフィックに挿入するカプラ６０ｂを含む。２つのカプラ６０ａおよび６０ｂが各搬送部５０に示されているが、特定の実施形態は、トラフィックの挿入および分岐の両方を行う単一のカプラを含んでもよい。（以下に説明するように）一例として、波長阻止部５４を含まない特定の実施形態において、そのような単一のカプラを使用してもよい。
【００６４】
また、各搬送部５０は、図示の実施形態において、ファイバ１６および１８上を伝搬するトラフィックの特定の波長を停止させるように構成された波長阻止部（ＷＢＵ）５４を含む。その結果、予定の単数または複数の宛先によって既に受信されたトラフィックを、後続のノード４０において停止してもよい。
【００６５】
さらに、以下に説明するように、ＷＢＵ５４は、光進路を隔離するように使用されてもよい。図２では機能ブロックとして示されているが、ＷＢＵ５４は、任意の適切なやり方で構成されて、所定の波長を動的に阻止し、かつ他の波長を通過させる機能を提供する適切な構成要素を表わしても、および／または含んでもよい。一例として、ＷＢＵ５４は、ＷＢＵ５４の出力上に、ＷＢＵ５４の入力で受信された任意の適切な波長、または波長の組を出力するように動作可能な波高選択スイッチ（ＷＳＳ）を表すことができる。
【００６６】
他の例として、ＷＢＵ５４は、一連のスイッチによって接続された光デマルチプレクサおよび光マルチプレクサを含む構成を表すことができる。そのような一実施形態において、デマルチプレクサは、信号を多重分離して、その構成要素チャンネルとしてもよい。その後、スイッチは、各スイッチによって受信された制御信号に基づいて、各チャンネルを選択的に停止またはマルチプレクサへ転送するように動的に構成されてもよい。スイッチによって転送されるチャンネルは、マルチプレクサによって受信され、ＷＤＭ光信号に多重化され、下流構成要素へ転送される。
【００６７】
他の例として、ＷＢＵ５４は、適切な波長上のトラフィックのみがファイバ１６または１８上に転送されるように調節された可変フィルタの集団を表わしてもよい。そのような一実施形態において、ＷＢＵ５４のカプラは、ＷＢＵ５４に入力された光信号を受信して、当該光信号を複数のコピー（分岐した光信号）に分割して、これらコピーのそれぞれを特定の可変フィルタへ送信してもよい。その後、各可変フィルタは、特定の波長または波長の特定の範囲内で伝搬するトラフィックを選択的に通して、他の全ての波長で伝搬するトラフィックを阻止してもよい。その後、各可変フィルタは、単数または複数の関連波長において伝搬する通過されたトラフィックを、ＷＢＵ５４の出力カプラへ転送する。その後、出力カプラは、様々なフィルタの出力を結合して、出力ＷＤＭ光信号を生成して、当該出力光信号をＷＢＵ５４から下流の構成要素へ転送する。
【００６８】
また、搬送部５０は、ファイバ１６および１８のステータスおよび動作、他のノード、ネットワーク１０において確立された任意の光進路、または光ネットワーク１０の任意の他の適切な構成要素または機能に関する情報をノード４０が送信および受信できるようにする適切な構成要素を含んでもよい。特に、各ノード４０は、光監視チャンネル（ＯＳＣ）上のメッセージをノード４０が受信および送信できるようにする部（エレメント）を含んでもよい。
【００６９】
図示の実施形態において、各搬送部５０は、各ファイバ１６または１８からの進入光信号を処理するＯＳＣ進入フィルタ６６ａを含む。各ＯＳＣフィルタ６６ａは、ＯＳＣ信号を光信号からフィルタリングして、当該ＯＳＣ信号を各ＯＳＣ受信器１１２へ転送する。また、各ＯＳＣフィルタ６６ａは、残りの光信号を搬送部５０の他の構成要素へ転送する。また、各搬送部５０は、関連ＯＳＣ送信器１１６からのＯＳＣ信号を関連ファイバ１６または１８上を伝搬する光信号に挿入して、結合された信号をファイバ１６または１８上の下流に位置する構成要素へ転送するＯＳＣ退出フィルタ６６ｂを含む。挿入されたＯＳＣ信号は、ローカルに生成されたデータであってもよく、またはノード４０によって受信され、かつ管理部１２０を通過したＯＳＣデータであってもよい。
【００７０】
分配／結合部８０は、それぞれ、ドロップ信号スプリッタ８２と、アド信号合成器８４とを備えてもよい。スプリッタ８２は、それぞれ、１本の光ファイバ進入リード線と、分岐リード線８６として作用する複数の光ファイバ退出リード線とに接続されたカプラを備えてもよい。各分岐リード線８６は、ノード４０の特定のローカルポートに関連したドロップ部１３０に接続されてもよい。図示の実施形態は、１本の分岐リード線８６に結合されたスプリッタ８２を示すが、スプリッタ８２は、任意の適切な数の分岐リード線８６に結合されてもよい。
【００７１】
スプリッタ８２は、一般的に、スプリッタ８２によって受信された光信号を、それぞれが特定の分岐リード線８６上を伝搬される複数のコピーに分割可能な任意の適切な構成要素または構成要素の集団を表わしてもよい。４本の分岐リード線８６が実施される特定の実施形態において、スプリッタ８２は、それぞれ、特定的には、２ｘ４光カプラを備え、そこにおいて、１本の進入リード線が終端され、他の進入リード線がカプラ６０にファイバ部分を介して結合され、４本の退出リード線が分岐リード８６として使用される。
【００７２】
同様に、結合器８４は、それぞれ、挿入リード線８８として作用する複数の光ファイバ進入リード線と、１本の光ファイバ退出リード線とを有するカプラを備えてもよい。各挿入リード線８８は、ノード４０の特定のポートに関連したアド部１４０に接続されてもよい。結合器８４が４本の進入リード線に結合される特定の実施形態において、結合器８４は、２ｘ４光カプラを備えてもよく、そこにおいて、１本の退出リード線は終端され、他の退出リード線はファイバ部分を介してカプラに結合され、４本の進入リード線は挿入リード線８８を備える。スプリッタ８２と同様に、結合器８４の説明した構成要素は、複数の光信号を単一の出力信号に結合するための任意の適切な構成要素または構成要素の集団に置き換わってもよい。図示の実施形態は、１本の挿入リード線８８に結合された結合器８４を示しているが、結合器８４は、任意の適切な数の挿入リード線８８に結合されてもよい。
【００７３】
ドロップ部１３０は、バーストポンダ１５０のポートを、フィルタ１００を通じて分配／結合部８０に選択的に結合し、フィルタ１００は、それぞれ、異なる波長におけるトラフィックをスプリッタ８２によって生成された光信号の各コピーから隔離することが可能である。その結果、ドロップ部１３０は、ファイバ１６または１８からのトラフィックの特定の波長を、バーストポンダ１５０の特定のポートへ出力してもよい。また、アド部１４０は、バーストポンダ１５０の特定のポートを結合／分配部８０に結合する。ドロップ部１３０およびアド部１４０は、それぞれ、ドロップスイッチ１３２およびアドスイッチ１４２、または他の適切な構成要素を含んで、バーストポンダ１５０の関連ポートをファイバ１６または１８に選択的に接続してもよい。代わりに、アドスイッチ１４２は、関連送信器１０４からの信号を分割できるカプラと、信号がファイバ１６、ファイバ１８、またはファイバ１６および１８の両方のいずれに挿入されるかを制御できる一対のシャッタ（分割信号の各枝に１つ）とに置き換わってもよい。その結果、ドロップ部１３０およびアド部１４０を使用して、ノード４０についての保護切り換えに対応してもよい。代わりに、ドロップ部１３０およびアド部１４０の特定の実施形態は、それぞれ、ドロップスイッチ１３２およびアドスイッチ１４２を省略してもよく、バーストポンダ１５０の互いに異なるポートを各ファイバ１６および１８に結合してもよい。さらに、特定の実施形態において、ノード４０は、光ネットワーク１０によって対応された特定の波長にそれぞれが関連する複数のドロップ部１３０および／またはアド部１４０を含んでもよい。
【００７４】
バーストポンダ１５０は、ノード４０が光進路を使用する場合に、ドロップ部１３０から受信したバースト状または時間がインターリーブされた光トラフィックを継ぎ目なく継続的な電気トラフィックに変換してノード４０のクライアント装置に伝達し、クライアント装置から受信した電気トラフィックを光トラフィックに変換してファイバ１６または１８上でバーストで送信する。上述のように、バーストポンダ１５０は、ノード４０が波長を時分割できるようにする一方で、波長が継ぎ目なく継続的に利用可能であるという印象をノード４０のクライアント装置に生じさせる。バーストポンダ１５０は、光信号を受信して、これらの光信号に基づいて電気信号を発生させるように動作可能な任意の適切な数の受信器１０２と、電気信号を受信して、これらの電気信号に基づいて光信号を発生させるように動作可能な送信器１０４とを含んでもよい。ノード４０の構成により、これらの受信器１０２および送信器１０４は、それぞれ、固定的または可変であってもよい。これらの受信器１０２および送信器１０４は、それぞれ、バーストモードクロックと、データ回復動作とを有するバーストモード受信器または送信器であってもよい。以下に説明するように、切り換え部１６０は、バーストポンダ１５０によって出力された電気トラフィックをノード４０の適切なクライアント装置へ送信し、かつノード４０のクライアント装置から受信された電気トラフィックをバーストポンダ１５０の適切なポート（そのようなポートは、それぞれ、特定の送信器１０４に関連付けられてもよい）へ送信するための任意の適切な単数または複数の構成要素を表わしてもよい。特定の一実施形態において、切り換え部１６０は、レイヤ２（Ｌ２）スイッチを備える。図２においてはノード４０の一部として示されているが、切り換え部１６０はノード４０から物理的に分離されていてもよい。
【００７５】
管理部１２０は、ＯＳＣ受信器１１２と、ＯＳＣインターフェイス１１４と、ＯＳＣ送信器１１６と、要素管理システム（ＥＭＳ）１２４とを備えてもよい。各ＯＳＣ受信器１１２、ＯＳＣインターフェイス１１４、およびＯＳＣ送信器１１６の組は、ノード４０におけるファイバ１６または１８のうちの１つについてのＯＳＣ部を形成する。ＯＳＣ部は、ＥＭＳ１２４についてのＯＳＣ信号を受信および送信する。ＥＭＳ１２４は、ネットワーク管理システム（ＮＭＳ）１２６に通信可能に結合されてもよい。ＮＭＳ１２６は、ノード４０内部、異なるモード、またはすべてのノード４０の外部に常駐してもよい。
【００７６】
ＥＭＳ１２４および／またはＮＭＳ１２６は、光ネットワーク１０のネットワークおよび／またはノード監視、障害検出、保護切り換え、および折り返しまたは局部試験機能を行うための、媒体に符号化された論理を備えてもよい。特定の一実施形態において、ＥＭＳ１２４および／またはＮＭＳ１２６は、光進路の確立、動作、および停止に関連した制御メッセージを、生成、送信、受信、および／または処理する。ＥＭＳ１２４またはＮＭＳ１２６に含まれる任意の論理は、ディスク、またはメモリなどの他のコンピュータ読み取り可能な媒体で符号化されたソフトウェア、および／または特定用途向け集積回路（ＡＳＩＣ）、書き込み可能ゲートアレイ（ＦＰＧＡ）、もしくは他のプロセッサまたはハードウェアにおいて符号化された命令を備えてもよい。ＥＭＳ１２４および／またはＮＭＳ１２６の機能は、ネットワークの他の構成要素によって行われてもよく、および／またはそれとは異なるように分配または集中されてもよいことが理解されるだろう。例えば、ＮＭＳ１２６の動作は、ノード４０のＥＭＳ１２４に分散させてもよく、よって、ＮＭＳ１２６は、別個のディスクリートな部（エレメント）として省略してもよい。同様に、ＯＳＣ部は、ＮＭＳ１２６およびＥＭＳ１２４を省略して、直接通信してもよい。
【００７７】
ＥＭＳ１２４は、ノード４０内の要素を監視および／または制御する。例えば、ＥＭＳ１２４は、送信器１０４、受信器１０２、およびＷＢＵ５４の動作を制御して、光進路の確立と使用とを促進するようにしてもよい。図示の実施形態において、ＥＭＳ１２４は、各ファイバ１６および１８から、当該ファイバに関連したＯＳＣ受信器１１２を介して（ＯＳＣ受信器１１２は、信号をＯＳＣフィルタ６６ａを介して取得する）、ＯＳＣ信号を電気形式で受信する。このＯＳＣ信号は、上述のように、１つまたはそれ以上の複数の種類の制御メッセージを含んでもよい。ＥＭＳ１２４は、信号を処理し、信号を転送し、および／または信号を折り返してもよい。ＥＭＳ１２４は、電気信号を受信して、ＯＳＣ信号をＯＳＣ送信器１１６とＯＳＣフィルタ６６ｂとを介して、ファイバ１６または１８上の次のノードへ再送信し、適宜、ローカルに生成された制御メッセージまたは他の適切な情報をＯＳＣに挿入する。
【００７８】
ＮＭＳ１２６は、光ネットワーク１０におけるすべてのノード４０から情報を収集すると共に、ノード４０によって送信された制御メッセージを処理して光進路の使用の特定の局面を管理するように動作可能である。例えば、特定の一実施形態において、複数のノード４０が光進路の使用を要求する場合に、ＮＭＳ１２６は、光進路上の送信のために特定のノード４０を選択するように動作可能であってもよい。上述のように、ＮＭＳ１２６は、光ネットワーク１０におけるすべてのノード４０のＥＭＳ１２４の一部またはすべてを表わしてもよい。さらに、以下の説明では、機能がＮＭＳ１２６とＥＭＳ１２４との間で特定のやり方で分割されている光ネットワーク１０の特定の実施形態を説明しているが、代替実施形態においては、説明した機能は、ＮＭＳ１２６とＥＭＳ１２４との間で任意の適切なやり方で分散されていてもよい。加えて、ＮＭＳ１２６およびＥＭＳ１２４は、図２に示すように、ノード４０内にある構成要素を少なくとも一部は示しているが、ＮＭＳ１２６および／またはＥＭＳ１２４のいくらかまたはすべては、ノード４０の外部にあってもよい。
【００７９】
図２には図示されていないが、ノード４０は、ＥＭＳ１２４、ＮＭＳ１２６および／または光ネットワーク１０の他の構成要素に関連したコード、光ネットワーク１０上での保護トラフィックのために使用される波長割り当て手法を指定する情報、および／または光ネットワーク１０の動作中に使用される任意の他の適切な情報を記憶するように動作可能なメモリを含んでもよい。メモリは、ノード４０内にあるか、またはノード４０から物理的に分離された、１つまたはそれ以上のメモリ装置を表わしてよい。加えて、メモリは、他のノード４０を含む光ネットワーク１０の他の構成要素と共有されてもよい。メモリは、コンピュータディスク、ハードディスクメモリ、ランダムアクセスメモリ（ＲＡＭ）、読み取り専用メモリ（ＲＯＭ）、または任意の他の適切な記憶媒体を表わしてもよい。
【００８０】
動作において、搬送部５０は、ファイバ１６および１８からトラフィックを受信する。図示の実施形態において、ファイバ１６および１８から受信されたトラフィックは、ＯＳＣ信号を含み、搬送部５０は、ファイバ１６および１８に、およびそこからＯＳＣ信号を挿入および分岐するように動作可能である。より特定的には、各ＯＳＣ進入フィルタ６６ａは、各ファイバ１６または１８からの進入光信号を処理する。ＯＳＣ進入フィルタ６６ａは、光信号からＯＳＣ信号をフィルタリングして、当該ＯＳＣ信号をその各ＯＳＣ受信器１１２へ転送する。また、各ＯＳＣ進入フィルタ６６ａは、残りの搬送光信号を関連増幅器６４へ転送する。増幅器６４は、信号を増幅して、当該信号を関連カプラ６０ａへ転送する。図２〜４と共に説明したノードの実施形態に関連したすべての増幅器は、状況によっては省略されてもよいことに注意すべきである。
【００８１】
ＥＭＳ１２４は、他のノード４０または光ネットワーク１０の他の構成要素によって送信された制御メッセージを処理して、それに応じてノード４０の動作を調節してもよい。特に、ＥＭＳ１２４は、ＥＭＳ１２４によって受信された制御メッセージに応答して、ＷＢＵ５４、送信器１０４、フィルタ１００、受信器１０２、および／またはノード４０の任意の他の適切な要素を再構成してもよい。一例として、ＥＭＳ１２４は、設定メッセージを受信することに応答して、ノード４０のＷＢＵ５４を構成して、特定の波長で伝搬するトラフィックがＷＢＵ５４を通過できるようにしてもよい。他の例として、ＥＭＳ１２４は、他のノード４０からの開始メッセージを受信することに応答して、特定のフィルタ１００および／または特定の受信器１０２を調整して、ノード４０が光進路に関連した特定の波長上で光トラフィックを受信できるようにしてもよい。
【００８２】
さらに、また、ＥＭＳ１２４は、他のノード４０または光ネットワーク１０の他の構成要素へ送信するための制御メッセージを生成してもよい。例えば、ＥＭＳ１２４は、設定メッセージ、開始メッセージ、要求メッセージ、および／または任意の他の適切な種類の制御メッセージに関連した電子信号を生成して、これらの電子信号をＯＳＣ送信器１１６へ通信して、適切な制御メッセージを表わす光信号を関連搬送部５０へ送信するようにしてもよい。その後、これらの制御メッセージは、適宜、ファイバ１６または１８上の光トラフィックへ挿入されてもよい。
【００８３】
ところで、カプラ６０ａは、増幅器６４からの信号を２つのコピー、すなわち、ＷＢＵ５４へ転送されるスルー信号と、分配／結合部８０へ転送されるドロップ信号とに分割する。その後、分配／結合部８０は、ドロップ信号を１つまたはそれ以上のコピーに分割して、ドロップ信号のコピーを１つまたはそれ以上のドロップ部１３０へ転送してもよい。特定の一実施形態において、各ドロップ部１３０は、ドロップ部１３０がファイバ１６またはファイバ１８のいずれかからのドロップ信号を当該ドロップ部１３０に含まれるフィルタ１００に選択的に結合できるようにする結合するドロップスイッチ１３２を含む。加えて、フィルタ１００は、特定の波長に調整されてもよい。その結果、そのような実施形態において、選択されたファイバ上を特定の波長で伝搬するトラフィックが、バーストポンダ１５０から出力される。
【００８４】
バーストポンダ１５０は、複数のドロップ部１３０の出力を受信する。各ドロップ部１３０に関連するバーストポンダ１５０における受信器１０２は、当該ドロップ部１３０から受信した光信号を電気トラフィックに変換する。各受信器１０２によって生成された電気トラフィックは、その後、切り換え部１６０に出力される。ノード４０の特定の実施形態において、バーストポンダ１５０は、バッファ（図示せず）を含んでもよく、受信器１０２の出力は、１つまたはそれ以上のバッファに記憶されて、適時、切り換え部１６０へ送信されてもよい。
【００８５】
切り換え部１６０は、バーストポンダ１５０によって出力された継ぎ目のない継続的な電気トラフィックを受信して、この電気トラフィックを任意の適切なやり方で切り換えて、この電気トラフィックをノード４０の適切なクライアント装置へ送信することを促進する。切り換え部１６０によってバーストポンダ１５０から受信された電気トラフィックは、パケット、フレーム、および／またはデータグラム形式の情報、ならびに／もしくは任意の他の適切な形式で構成された情報を含んでもよい。例えば、特定の一実施形態において、切り換え部１６０は、Ｌ２スイッチを表わしてもよく、電気信号をバーストポンダ１５０からパケット形式で受信してもよい。
【００８６】
また、切り換え部１６０は、切り換え部１６０に結合されたクライアント装置から電気トラフィックを受信して、この電気トラフィックを切り換えて、当該電気トラフィックをバーストポンダ１５０の適切なポートへ通信する。切り換え部１６０によってクライアント装置から受信された電気トラフィックは、パケット、フレーム、および／またはデータグラム形式の情報、ならびに／もしくは任意の他の適切な形式で構成された情報を含んでもよい。上述のように、切り換え部１６０は、Ｌ２スイッチを表わしてもよく、電気トラフィックをクライアント装置からパケット形式で受信してもよい。そのような実施形態において、Ｌ２スイッチは、各パケットを、当該パケットに含まれるヘッダに基づいて切り換えて、当該パケットをバーストポンダ１５０の適切なポートに結合されたＬ２スイッチのポートへ伝達してもよい。
【００８７】
バーストポンダ１５０は、バーストポンダ１５０の１つまたはそれ以上のポート上で切り換え部１６０から電気トラフィックを受信する。バーストポンダ１５０のあるポートは、切り換え部１６０から電気トラフィックを受信するように構成され、これらの各ポートは、受信された電気トラフィックを当該ポートに関連したバーストポンダ１５０における特定の送信器１０４へ渡すようにしてもよい。各送信器１０４は、その後、切り換え部１６０から受信した電気トラフィックから光トラフィックのバーストを生じさせて、当該光トラフィックを当該送信器１０４に関連した特定のアド部１４０へ送信してもよい。特定の実施形態において、ＥＭＳ１２４は、バーストポンダ１５０の送信器１０４を調整してもよく、送信器１０４は、ＥＭＳ１２４によって決定された特定の波長で光トラフィックを生成してもよい。他の実施形態において、送信器１０４は、固定波長で送信する。加えて、バーストポンダ１５０は、切り換え部１６０からの電気トラフィックを記憶して適時（ノード４０の光進路の使用が認められたときなど）送信器１０４へそれを入力する１つまたはそれ以上のバッファを含んでもよい。他のノード４０が共有された光進路を使用しているため、トラフィックが受信されたときに、ノード４０は、トラフィックを送信できない場合があるので、そのようなバッファリングは有用である。
【００８８】
バーストポンダ１５０の送信器１０４によって出力された光トラフィックは、その後、光トラフィックを生成した送信器１０４に関連した適切なアド部１４０によって受信される。各アド部１４０は、アド部をファイバ１６または１８に関連した分配／結合部８０内の結合器８４に選択的に結合可能なアドスイッチ１４２を含んでもよい。その結果、バーストポンダ１５０の送信器１０４によって生成された光トラフィックが、状況に基づいて、適切なファイバ１６または１８に挿入されてもよい。例えば、ノード４０の適切な実施形態は、保護切り換えに対応してもよく、アドスイッチ１４２は、あるファイバ上の障害の検出に応答して再構成されて、他のファイバ上で光トラフィックを送信してもよい。適切な分配／結合部８０は、その後、バーストポンダ１５０から受信された光トラフィックを関連ファイバのカプラ６０ｂへ転送する。
【００８９】
カプラ６０ａの動作に戻って、上述のようにドロップ信号を転送するのに加えて、各カプラ６０ａは、スルー信号を各ＷＢＵ５４へ転送する。ＷＢＵ５４は、光信号を受信して、スルー信号のチャンネルを選択的に停止または転送する。ノード４０の特定の一実施形態において、ＥＭＳ１２４は、ＷＢＵ５４の動作を制御して、主査ノード４０ａから受信された設定メッセージに応答して、特定のファイバ１６または１８上で特定の波長での光進路を確立してもよい。特に、ノード４０が要求された光進路の内部上のノードを表わす場合、ＥＭＳ１２４は、当該ファイバ上を特定の波長で伝搬する光信号がＷＢＵ５４を通過することができるようにＷＢＵ５４を構成してもよい。ノード４０が、光進路の最初または最後のノード４０を表わす場合には、ＥＭＳ１２４は、当該ファイバ上を特定の波長で伝搬する光信号を阻止するようにＷＢＵ５４を構成してもよい。このように、光進路においてノードによって送信されたトラフィックは、光進路を去ることはない。これにより、複数の互いに重ならない光進路が、同一のファイバにおける同一の波長を使用して形成されてもよい。
【００９０】
しかしながら、特定の実施形態において、ＷＢＵ５４は、ノードから省略されてもよい。そのような実施形態においては、ノードは、ノートを通じたトラッフィクライアントの送信を阻止することができなくなる（なぜなら、カプラ６０ａから転送された光信号のコピーの波長のいずれをも停止するものはないだろうからである）。したがって、そのような実施形態においては、複数の光進路は、同一の波長で形成されなくてもよい。しかしながら、リングネットワークなどの多くのネットワーク配列において、少なくとも１つのそのようなノード（または、ネットワークにおける何らかの他の装置）が、ネットワーク周辺のノードから挿入された光信号の伝搬を停止して、干渉を防止することができなくてはならない。一例として、ノードにおいて特定の波長で挿入されている他のトラフィいくは、ネットワーク周辺を伝搬して、アドノードへ戻り、そこにおいて、当該波長において挿入される新たなトラフィックと干渉することになる。したがって、特定の実施形態は、（ノード４０のような）ＷＢＵを含む１つまたはそれ以上のノードと、ＷＢＵを含まない１つまたはそれ以上の他のノードとを含んでもよい。ＷＢＵを含む複数のノードがそのような実施形態において使用される場合には、単一の波長で複数の光進路を作成することができる場合があるが、これらの光進路に位置は、ＷＢＵを含むノードの数および配置によって限定されるだろう。
【００９１】
図示のノード４０の動作に戻って、各カプラ６０ｂは、関連ＷＢＵ５４の出力を関連結合器８４から受信されたトラフィックに後に結合してもよい。カプラ６０ｂがローカルで得られたトラフィックをＷＢＵ５４の出力に挿入した後、カプラ６０ｂは、結合された信号を関連増幅器６４およびＯＳＣ退出フィルタ６６ｂへ転送する。各ＯＳＣ退出フィルタ６６ｂは、関連ＯＳＣ送信器１１６からのＯＳＣ信号を結合された光信号に挿入して、結合された新たな信号を退出搬送信号として光ネットワーク１０の関連ファイバ１６または１８へ転送する。
【００９２】
図３は、光進路を実施する際に使用されるノード４２の他の実施形態を示すブロック図である。本実施形態において、図２に示すノード４０のカプラ６０ａおよび６０ｂと、ＷＢＵ５４と、結合／分配部８０は、単一のカプラ６０と、数多くのＷＳＳ１７２とに置き換えられる。ノード４２の他の構成部は、ノード４０のそれと同様である。カプラ６０およびＷＳＳ１７２が、ノード４２の搬送部５０ａおよび５０ｂに含まれる。搬送部５０は、ファイバ１６および１８へ、そしてそこからトラフィックを挿入および分岐する。より特定的には、搬送部５０のカプラ６０は、ファイバ１６および１８上を伝搬する光信号の２つのコピーを生成する。１つのコピーは、ドロップＷＳＳ１７２ｂへ転送され、ドロップＷＳＳ１７２ｂは、以下に説明するように、光信号内に搬送されたトラフィックの特定の部分を１つまたはそれ以上のスイッチ１３２へ転送して、ノード４２に結合されたクライアント装置への伝達に供するように動作可能である。他のコピーは、ＷＢＵ５４へ転送される。
【００９３】
また、各搬送部５０は、ノード４２によって生成された、またはノード４２のクライアント装置から受信されたトラフィックをファイバ１６および１８に挿入するように使用されるアドＷＳＳ１７２ａを含む。アドＷＳＳ１７２ａは、１つまたはそれ以上のアドスイッチ１４２からトラフィックを受信し、このトラフィックを関連リング１６または１８に挿入する。アドＷＳＳ１７２ａは、受信されたアド信号を結合して、結合されたアド信号をカプラ６０へ転送し、カプラ６０は、結合された信号を関連リング１６または１８に挿入する。単一のカプラ６０が各搬送部５０において示されているが、特定の実施形態は、別個のアドカプラと別個のドロップカプラ（ノード４０のカプラ６０ａおよび６０ｂと同様）を含んでもよい。
【００９４】
また、各搬送部５０は、ファイバ１６および１８上を伝搬するトラフィックの特定の波長を停止するように構成された波長阻止部（ＷＢＵ）５４を含む。その結果、意図された単数または複数の宛先によって既に受信されたトラフィックが、ノード４２において停止されてもよい。さらに、以下に説明するように、ＷＢＵ５４を使用して、光進路を分離してもよい。図３において機能ブロックとして示されているが、ＷＢＵ５４は、任意の適切なやり方で構成された適切な構成要素を表わして、および／または含んで、所定の波長を動的に阻止して他の波長を通す機能を提供してもよい。使用されるであろう特定のＷＢＵ５４の例を、図２と共に説明する。一例として、ＷＢＵ５４は、他のＷＳＳ（この場合、停止が必要な特定の波長を、ＷＳＳの１つまたはそれ以上の停止された（または接続されていない）ポートに切り替えるように構成されてもよいＷＳＳ）であってもよい。
【００９５】
ノード４０と同様に、ノード４２の搬送部５０は、ファイバ１６および１８のステータスおよび動作、他のノード、ネットワーク１０において確立された任意の光進路、または光ネットワーク１０の任意の他の適切な構成要素または機能に関する情報をノード４２が送信および受信できるようにする適切な構成要素を含んでもよい。特に、各ノード４２は、光監視チャンネル（ＯＳＣ）上のメッセージをノード４２が受信および送信できるようにする部（エレメント）を含んでもよい。ノード４０の搬送部５０と同様に、ノード４２の各搬送要素５０は、各ファイバ１６または１８からの進入光信号を処理するＯＳＣ進入フィルタ６６ａを含む。各ＯＳＣフィルタ６６ａは、ＯＳＣ信号を光信号からフィルタリングして、当該ＯＳＣ信号を各ＯＳＣ受信器１１２へ転送する。また、各ＯＳＣフィルタ６６ａは、残りの光信号を搬送部５０の他の構成要素へ転送する。また、各搬送部５０は、関連ＯＳＣ送信器１１６からのＯＳＣ信号を関連ファイバ１６または１８上を伝搬する光信号に挿入して、結合された信号をファイバ１６または１８上の下流に位置する構成要素へ転送するＯＳＣ退出フィルタ６６ｂを含む。挿入されたＯＳＣ信号は、ローカルに生成されたデータであってもよく、またはノード４２によって受信され、かつ管理部１２０を通過したＯＳＣデータであってもよい。
【００９６】
また、ノード４２は、１つまたはそれ以上のドロップスイッチ１３２と、１つまたはそれ以上のアドスイッチ１４２とを含む。各ドロップスイッチ１３２は、２つのドロップＷＳＳ１７２ｂ（それぞれリング１６および１８に関連）のうちの１つの出力ポートをバーストポンダ１５０の関連ポートに選択的に結合する。同様に、各アドスイッチ１４２は、バーストポンダ１５０の特定のポートを２つのアドＷＳＳ１７２ａのうちの１つの関連入力ポートに選択的に結合する。代わりに、アドスイッチ１４２は、関連送信器１０４からの信号を分割できるカプラと、送信器からの信号を、ファイバ１６、ファイバ１８、またはファイバ１６および１８の両方に挿入するかどうかを制御できる一対のシャッタ（分割信号の各枝に１つ）とに置き換わってもよい。その結果、ドロップスイッチ１３２およびアドスイッチ１４２を使用して、ノード４２についての保護切り換えに対応してもよい。代わりに、特定の実施形態は、ドロップスイッチ１３２およびアドスイッチ１４２を省略してもよく、バーストポンダ１５０の互いに異なるポートを各ＷＳＳ１７２ａおよびドロップＷＳＳ１７２ｂに結合してもよい。
【００９７】
バーストポンダ１５０は、ノード４０が光進路を使用する場合に、（ドロップスイッチ１３２を介して）ドロップＷＳＳ１７２ｂから受信したバースト状または時間がインターリーブされた光トラフィックを継ぎ目なく継続的な電気トラフィックに変換して、ノード４２のクライアント装置に伝達し、クライアント装置から受信した電気トラフィックを光トラフィックに変換してファイバ１６または１８上で関連するアドＷＳＳ１７２ａを介してバーストで送信する。上述のように、バーストポンダ１５０は、ノード４２が波長を時分割できるようにする一方で、（ラインレートは遅いものの）波長が継ぎ目なく継続的に利用可能であるという印象をノード４２のクライアント装置に生じさせる。バーストポンダ１５０は、光信号を受信して、これらの光信号に基づいて電気信号を発生させるように動作可能な任意の適切な数の受信器１０２と、電気信号を受信して、これらの電気信号に基づいて光信号を発生させるように動作可能な送信器１０４とを含んでもよい。ノード４２の構成により、これらの受信器１０２および送信器１０４は、それぞれ、固定的または可変であってもよい。これらの受信器１０２および送信器１０４は、それぞれ、バーストモードクロックと、データ回復動作とを有するバーストモード受信器または送信器であってもよい。
【００９８】
以下に説明するように、切り換え部１６０は、バーストポンダ１５０によって出力された電気トラフィックをノード４２の適切なクライアント装置へ送信し、かつノード４２のクライアント装置から受信された電気トラフィックをバーストポンダ１５０の適切なポート（そのようなポートは、それぞれ、特定の送信器１０４に関連付けられてもよい）へ送信するための任意の適切な単数または複数の構成要素を表わしてもよい。特定の一実施形態において、切り換え部１６０は、レイヤ２（Ｌ２）スイッチを備える。図３においてはノード４２の一部として示されているが、他の実施形態においては、切り換え部１６０は、ノード４２から物理的に分離されていてもよい。
【００９９】
ノード４０と同様に、ノード４２は、管理部１２０を含み、管理部１２０は、ＯＳＣ受信器１１２と、ＯＳＣインターフェイス１１４と、ＯＳＣ送信器１１６と、要素管理システム（ＥＭＳ）１２４とを備える。各ＯＳＣ受信器１１２、ＯＳＣインターフェイス１１４、およびＯＳＣ送信器１１６の組は、ノード４２におけるファイバ１６または１８のうちの１つについてのＯＳＣ部を形成する。ＯＳＣ部は、ＥＭＳ１２４についてのＯＳＣ信号を受信および送信する。ＥＭＳ１２４は、ネットワーク管理システム（ＮＭＳ）１２６に通信可能に結合されてもよい。ＮＭＳ１２６は、ノード４０内部、異なるモード、またはすべてのノード４０の外部に常駐してもよい。
【０１００】
上述のように、ＥＭＳ１２４および／またはＮＭＳ１２６は、光ネットワーク１０のネットワークおよび／またはノード監視、障害検出、保護切り換え、および折り返しまたは局部試験機能を行うための、媒体に符号化された論理を備えてもよい。特定の一実施形態において、ＥＭＳ１２４および／またはＮＭＳ１２６は、光進路の確立、動作、および停止に関連した制御メッセージを、生成、送信、受信、および／または処理する。ＥＭＳ１２４は、ノード４２内の要素を監視および／または制御する。ＮＭＳ１２６は、光ネットワーク１０におけるすべてのノード４０から情報を収集すると共に、ノード４０によって送信された制御メッセージを処理して光進路の使用の特定の局面を管理するように動作可能である。
【０１０１】
図３には図示されていないが、ノード４２は、ＥＭＳ１２４、ＮＭＳ１２６および／または光ネットワーク１０の他の構成要素に関連したコード、光ネットワーク１０上での保護トラフィックのために使用される波長割り当て手法を指定する情報、および／または光ネットワーク１０の動作中に使用される任意の他の適切な情報を記憶するように動作可能なメモリを含んでもよい。メモリは、ノード４２内にあるか、またはノード４２から物理的に分離された、１つまたはそれ以上のメモリ装置を表わしてよい。加えて、メモリは、他のノード４０を含む光ネットワーク１０の他の構成要素と共有されてもよい。メモリは、コンピュータディスク、ハードディスクメモリ、ランダムアクセスメモリ（ＲＡＭ）、読み取り専用メモリ（ＲＯＭ）、または任意の他の適切な記憶媒体を表わしてもよい。
【０１０２】
動作において、搬送部５０は、ファイバ１６および１８からトラフィックを受信する。図示の実施形態において、ファイバ１６および１８から受信されたトラフィックは、ＯＳＣ信号を含み、搬送部５０は、ファイバ１６および１８に、およびそこからＯＳＣ信号を挿入および分岐するように動作可能である。より特定的には、各ＯＳＣ進入フィルタ６６ａは、各ファイバ１６または１８からの進入光信号を処理する。ＯＳＣ進入フィルタ６６ａは、光信号からＯＳＣ信号をフィルタリングして、当該ＯＳＣ信号をその各ＯＳＣ受信器１１２へ転送する。また、各ＯＳＣ進入フィルタ６６ａは、残りの搬送光信号を関連増幅器６４へ転送する。増幅器６４は、信号を増幅して、当該信号を関連カプラ６０ａへ転送する。
【０１０３】
ＥＭＳ１２４は、他のノード４２または光ネットワーク１０の他の構成部によって送信された制御メッセージを処理して、それに応じてノード４０の動作を調節してもよい。特に、ＥＭＳ１２４は、ＥＭＳ１２４によって受信された制御メッセージに応答して、ＷＢＵ５４、送信器１０４、受信器１０２、および／またはノード４２の任意の他の適切な要素を再構成してもよい。一例として、ＥＭＳ１２４は、設定メッセージを受信することに応答して、ノード４２のＷＢＵ５４を構成して、特定の波長で伝搬するトラフィックがＷＢＵ５４を通過できるようにしてもよい。さらに、また、ＥＭＳ１２４は、他のノード４２または光ネットワーク１０の他の構成要素へ送信するための制御メッセージを生成してもよい。例えば、ＥＭＳ１２４は、設定メッセージ、開始メッセージ、要求メッセージ、および／または任意の他の適切な種類の制御メッセージに関連した電子信号を生成して、これらの電子信号をＯＳＣ送信器１１６へ通信して、適切な制御メッセージを表わす光信号を関連搬送部５０へ送信するようにしてもよい。その後、これらの制御メッセージは、適宜、ファイバ１６または１８上の光トラフィックへ挿入されてもよい。
【０１０４】
ところで、カプラ６０ａは、増幅器６４からの信号を２つのコピー、すなわち、ＷＢＵ５４へ転送されるスルー信号と、ＷＳＳ１７２ｂへ転送されるドロップ信号とに分割する。ＷＳＳ１７２ｂは、カプラ６０から受信された光信号の１つまたはそれ以上の波長におけるトラフィックをその出力ポートのうちの１つまたはそれ以上に切り換えるように動作可能である。例えば、ＷＳＳ１７２ｂの各出力ポートは、特定の波長に関連付けられてもよい。ＷＳＳ１７２ａの各出力ポートは、（ドロップスイッチ１３２を介して）当該波長に関連するバーストポンダ１５０のポートに選択的に結合されてもよい。このように、分岐された光信号の特定の波長におけるトラフィックが、バーストポンダ１５０へ転送される。
【０１０５】
バーストポンダ１５０は、ＷＳＳ１７２ｂ（どのＷＳＳ１７２ｂは、各ドロップスイッチ１３２の位置による）から出力される特定の波長を受信する。ドロップＷＳＳ１７２ｂの各出力ポートに関連するバーストポンダ１５０における受信器１０２は、出力ポートから受信された光トラフィックを受信して、電気トラフィックに変換する。各受信器１０２によって生成された電気トラフィックは、その後、切り換え部１６０に出力される。ノード４２の特定の実施形態において、バーストポンダ１５０は、バッファを含んでもよく、受信器１０２の出力は、１つまたはそれ以上のバッファに記憶されて、適時、切り換え部１６０へ送信されてもよい。
【０１０６】
切り換え部１６０は、バーストポンダ１５０によって出力された継ぎ目のない継続的な電気トラフィックを受信して、この電気トラフィックを任意の適切なやり方で切り換えて、この電気トラフィックをノード４２の適切なクライアント装置へ送信することを促進する。切り換え部１６０によってバーストポンダ１５０から受信された電気トラフィックは、パケット、フレーム、および／またはデータグラム形式の情報、ならびに／もしくは任意の他の適切な形式で構成された情報を含んでもよい。例えば、特定の一実施形態において、切り換え部１６０は、Ｌ２スイッチを表わしてもよく、電気信号をバーストポンダ１５０からパケット形式で受信してもよい。
【０１０７】
また、切り換え部１６０は、切り換え部１６０に結合されたクライアント装置から電気トラフィックを受信して、この電気トラフィックを切り換えて、当該電気トラフィックをバーストポンダ１５０の適切なポートへ通信する。切り換え部１６０によってクライアント装置から受信された電気トラフィックは、パケット、フレーム、および／またはデータグラム形式の情報、ならびに／もしくは任意の他の適切な形式で構成された情報を含んでもよい。上述のように、切り換え部１６０は、Ｌ２スイッチを表わしてもよく、電気トラフィックをクライアント装置からパケット形式で受信してもよい。そのような実施形態において、Ｌ２スイッチは、各パケットを、当該パケットに含まれるヘッダに基づいて切り換えて、当該パケットをバーストポンダ１５０の適切なポートに結合されたＬ２スイッチのポートへ伝達してもよい。
【０１０８】
バーストポンダ１５０は、バーストポンダ１５０の１つまたはそれ以上のポート上で切り換え部１６０から電気トラフィックを受信する。バーストポンダ１５０のあるポートは、切り換え部１６０から電気トラフィックを受信するように構成され、これらの各ポートは、受信された電気トラフィックを当該ポートに関連したバーストポンダ１５０における特定の送信器１０４へ渡すようにしてもよい。各送信器１０４は、その後、切り換え部１６０から受信した電気トラフィックから光トラフィックのバーストを生じさせて、当該光トラフィックをアドＷＳＳ１７２ａ（アドスイッチ１４２の位置による）へ送信してもよい。特定の実施形態において、ＥＭＳ１２４は、バーストポンダ１５０の送信器１０４を調整してもよく、送信器１０４は、ＥＭＳ１２４によって決定された特定の波長で光トラフィックを生成してもよい。他の実施形態において、送信器１０４は、固定波長で送信する。加えて、バーストポンダ１５０は、切り換え部１６０からの電気トラフィックを記憶して適時（ノード４０の光進路の使用が認められたときなど）送信器１０４へそれを入力する１つまたはそれ以上のバッファを含んでもよい。他のノード４２が共有された光進路を使用しているため、トラフィックが受信されたときに、ノード４２は、トラフィックを送信できない場合があるので、そのようなバッファリングは有用である。
【０１０９】
バーストポンダ１５０の送信器１０４によって出力された光トラフィックは、その後、適切なアドＷＳＳ１７２ｂ（関連アドスイッチ１４２の位置による）その結果、バーストポンダ１５０の送信器１０４によって生成された光トラフィックが、適切なファイバ１６または１８に挿入されてもよい。例えば、ノード４２の適切な実施形態は、保護切り換えに対応してもよく、アドスイッチ１４２は、あるファイバ上の障害の検出に応答して再構成されて、他のファイバ上で光トラフィックを送信してもよい。適切なアドＷＳＳ１７２ａは、その後、バーストポンダ１５０から受信された光トラフィックを関連ファイバのカプラ６０ｂへ転送する。
【０１１０】
カプラ６０ｂの動作に戻って、上述のようにドロップ信号を転送するのに加えて、各カプラ６０ａは、スルー信号を各ＷＢＵ５４へ転送する（このスルー信号は、ＷＳＳ１７２ａによってカプラ６０において挿入された、ローカルに生成されたトラフィックを含んでもよい）。ノード４０と同様に、ＷＢＵ５４は、光信号を受信して、スルー信号のチャンネルを選択的に停止または転送する。ノード４２の特定の一実施形態において、ＥＭＳ１２４は、ＷＢＵ５４の動作を制御して、主査ノード４２ａから受信された設定メッセージに応答して、特定のファイバ１６または１８上で特定の波長での光進路を確立してもよい。特に、ノード４２が要求された光進路の内部上のノードを表わす場合、ＥＭＳ１２４は、当該ファイバ上を特定の波長で伝搬する光信号がＷＢＵ５４を通過することができるようにＷＢＵ５４を構成してもよい。ノード４２が、光進路の最初または最後のノード４２を表わす場合には、ＥＭＳ１２４は、当該ファイバ上を特定の波長で伝搬する光信号を阻止するようにＷＢＵ５４を構成してもよい。このように、光進路においてノードによって送信されたトラフィックは、光進路を去ることはない。これにより、複数の互いに重ならない光進路が、同一のファイバにおける同一の波長を使用して形成されてもよい。上述のように、特定の実施形態において、ＷＢＵ５４は、１つまたはそれ以上のノードを省略してもよい（同様の注意書きがここにおいても等しく当てはまる）。
【０１１１】
ＷＢＵ５４の出力は、関連増幅器６４およびＯＳＣ退出フィルタ６６ｂへ転送される。各ＯＳＣ退出フィルタ６６ｂは、関連ＯＳＣ送信器１１６からのＯＳＣ信号を結合された光信号に挿入して、結合された新たな信号を退出搬送信号として光ネットワーク１０の関連ファイバ１６または１８へ転送する。
【０１１２】
図４は、光進路を実施する際に使用されるノード４４のさらに他の実施形態を示すブロック図である。本実施形態において、図２に示すノード４０のカプラ６０ａおよび６０ｂと、ＷＢＵ５４と、結合／分配部８０は、デマルチプレクサ１８２およびマルチプレクサ１８４と、デマルチプレクサ１８２とマルチプレクサ１８４との間に結合された複数のドロップカプラ６０ａ、アドカプラ６０ｂ、およびスイッチ１８６とに置き換えられる。ノード４４の他の構成要素は、ノード４０のそれと同様である。デマルチプレクサ１８２、マルチプレクサ１８４、ドロップカプラ６０ａ、アドカプラ６０ｂ、およびスイッチ１８６が、ノード４４の搬送部１８０ａおよび１８０ｂに含まれる。搬送部５０は、ファイバ１６および１８へ、そしてそこからトラフィックを挿入および分岐する。
【０１１３】
より特定的には、関連ファイバ１６および１８上を伝搬する受信された光信号を多重分離して、その構成要素波長にする。多重分離された各波長におけるトラフィックは、その後、関連ドロップカプラ６０ａへ転送される。各ドロップカプラ６０ａは、受信されたトラフィックを２つのコピーに分割する。１つのコピーは、関連ドロップスイッチ１３２へ分岐され、他のコピーは、関連スイッチ１８６へ転送される。各スイッチ１８６は、トラフィックの転送されたコピーを通過させるか停止させるかのいずれかを行うように選択的に構成可能である。その結果、意図された単数または複数の宛先によって既に受信されたトラフィックが、ノード４４において停止されてもよい。さらに、以下に説明するように、スイッチ１８６を使用して、特定の光進路を分離してもよい。トラフィックが関連スイッチ１８６によって通過されれば、トラフィックは関連アドカプラ６０ｂへ転送される。
【０１１４】
アドカプラ６０ｂは、関連リング１６または１８に挿入すべきトラフィックをアドスイッチ１４２から受信して、このアドトラフィックを、スイッチ１８６から転送されたトラフィックがもしあれば、それに挿入する。結合されたトラフィック（または、スイッチがカプラ６０ａからのトラフィックを停止する場合は、単なるアドトラフィック）は、その後、マルチプレクサ１８４へ転送される。マルチプレクサ１８４は、アドカプラ６０ｂから受信された各波長におけるトラフィックを多重して、その後、この多重トラフィックを転送する。特定の数のカプラ／スイッチの「組」（これは、特定の多重分離された波長にそれぞれ関連している）が示されているが、任意の適切な数のそのような組が設けられてもよい。さらに、単一のドロップカプラ６０ａおよび単一のアドカプラ６０ｂが、それぞれ、関連ドロップスイッチ１３２およびアドスイッチ１４２に結合されている（よって、関連受信器１０２および送信器１０４に結合されている）ように示されているが、任意の適切な数のカプラ６０が結合されて、特定の波長のトラフィックが、リング１６および１８から、またはそこへ分岐または挿入されるようにしてもよい。
【０１１５】
ノード４０および４２と同様に、ノード４４の搬送部１８０は、ファイバ１６および１８のステータスおよび動作、他のノード、ネットワーク１０において確立された任意の光進路、または光ネットワーク１０の任意の他の適切な構成要素または機能に関する情報をノード４４が送信および受信できるようにする適切な構成要素を含んでもよい。特に、各ノード４４は、光監視チャンネル（ＯＳＣ）上のメッセージをノード４４が受信および送信できるようにする要素を含んでもよい。ノード４０および４２と同様に、ノード４４の各搬送部１８０は、各ファイバ１６または１８からの進入光信号を処理するＯＳＣ進入フィルタ６６ａを含む。各ＯＳＣフィルタ６６ａは、ＯＳＣ信号を光信号からフィルタリングして、当該ＯＳＣ信号を各ＯＳＣ受信器１１２へ転送する。また、各ＯＳＣフィルタ６６ａは、残りの光信号を搬送部１８０の他の構成要素へ転送する。また、各搬送部１８０は、関連ＯＳＣ送信器１１６からのＯＳＣ信号を関連ファイバ１６または１８上を伝搬する光信号に挿入して、結合された信号をファイバ１６または１８上の下流に位置する構成要素へ転送するＯＳＣ退出フィルタ６６ｂを含む。挿入されたＯＳＣ信号は、ローカルに生成されたデータであってもよく、またはノード４４によって受信され、かつ管理部１２０を通過したＯＳＣデータであってもよい。
【０１１６】
また、ノード４２と同様に、ノード４４は、１つまたはそれ以上のドロップスイッチ１３２と、１つまたはそれ以上のアドスイッチ１４２とを含む。各ドロップスイッチ１３２は、特定の波長に関連した２つのドロップカプラ６０ａ（１つのカプラ６０ａは、搬送部１８０ａの一部であり、他は搬送部１８０ｂの一部）のうちの１つから分岐された信号を、バーストポンダ１５０の関連ポートに選択的に結合する。同様に、各アドスイッチ１４２は、バーストポンダ１５０の特定のポートを、当該ポートから送信されている、特定の波長に関連した２つのアドカプラ６０ｂのうちの１つに選択的に結合する。代わりに、アドスイッチ１４２は、関連送信器１０４からの信号を分割できるカプラと、ファイバ１６、ファイバ１８、またはファイバ１６および１８の両方に信号を挿入するかどうかを制御できる一対のシャッタ（分割信号の各枝に１つ）とに置き換わってもよい。その結果、ドロップスイッチ１３２およびアドスイッチ１４２を使用して、ノード４４についての保護切り換えに対応してもよい。代わりに、特定の実施形態は、ドロップスイッチ１３２およびアドスイッチ１４２を省略してもよく、特定の波長に関連したバーストポンダ１５０の各ポートを、当該波長に関連した両ドロップカプラ６０ａおよび当該波長に関連した両アドカプラ６０ｂに。
【０１１７】
バーストポンダ１５０は、ノード４０が光進路を使用する場合に、（ドロップスイッチ１３２を介して）ドロップカプラ６０ａから受信したバースト状または時間がインターリーブされた光トラフィックを継ぎ目なく継続的な電気トラフィックに変換して、ノード４２のクライアント装置に伝達し、クライアント装置から受信した電気トラフィックを光トラフィックに変換してファイバ１６または１８上で関連するアドカプラ６０ｂを介してバーストで送信する。上述のように、バーストポンダ１５０は、ノード４４が波長を時分割できるようにする一方で、（ラインレートは遅いものの）波長が継ぎ目なく継続的に利用可能であるという印象をノード４４のクライアント装置に生じさせる。バーストポンダ１５０は、光信号を受信して、これらの光信号に基づいて電気信号を発生させるように動作可能な任意の適切な数の受信器１０２と、電気信号を受信して、これらの電気信号に基づいて光信号を発生させるように動作可能な送信器１０４とを含んでもよい。ノード４４の構成により、これらの受信器１０２および送信器１０４は、それぞれ、固定的または可変であってもよい。さらに、これらの受信器１０２および送信器１０４は、それぞれ、バーストモードクロックと、データ回復動作とを有するバーストモード受信器または送信器であってもよい。
【０１１８】
以下に説明するように、切り換え部１６０は、バーストポンダ１５０によって出力された電気トラフィックをノード４４の適切なクライアント装置へ送信し、かつノード４４のクライアント装置から受信された電気トラフィックをバーストポンダ１５０の適切なポート（そのようなポートは、それぞれ、特定の送信器１０４に関連付けられてもよい）へ送信するための任意の適切な単数または複数の構成要素を表わしてもよい。特定の一実施形態において、切り換え部１６０は、レイヤ２（Ｌ２）スイッチを備える。図３においてはノード４４の一部として示されているが、他の実施形態においては、切り換え部１６０は、ノード４４から物理的に分離されていてもよい。
【０１１９】
ノード４０および４２と同様に、ノード４４は、管理部１２０を含み、管理部１２０は、ＯＳＣ受信器１１２と、ＯＳＣインターフェイス１１４と、ＯＳＣ送信器１１６と、要素管理システム（ＥＭＳ）１２４とを備える。各ＯＳＣ受信器１１２、ＯＳＣインターフェイス１１４、およびＯＳＣ送信器１１６の組は、ノード４４におけるファイバ１６または１８のうちの１つについてのＯＳＣ部を形成する。ＯＳＣ部は、ＥＭＳ１２４についてのＯＳＣ信号を受信および送信する。ＥＭＳ１２４は、ネットワーク管理システム（ＮＭＳ）１２６に通信可能に結合されてもよい。ＮＭＳ１２６は、ノード４４内部、異なるモード、またはすべてのノード４０の外部に常駐してもよい。ＥＭＳ１２４およびＮＭＳ１２６の動作は、ノード４０および４２と共に上述したのと同じである。
【０１２０】
動作において、搬送部１８０は、ファイバ１６および１８からトラフィックを受信する。図示の実施形態において、ファイバ１６および１８から受信されたトラフィックは、ＯＳＣ信号を含み、搬送部１８０は、ファイバ１６および１８に、およびそこからＯＳＣ信号を挿入および分岐するように動作可能である。より特定的には、各ＯＳＣ進入フィルタ６６ａは、各ファイバ１６または１８からの進入光信号を処理する。ＯＳＣ進入フィルタ６６ａは、光信号からＯＳＣ信号をフィルタリングして、当該ＯＳＣ信号をその各ＯＳＣ受信器１１２へ転送する。また、各ＯＳＣ進入フィルタ６６ａは、残りの搬送光信号を関連増幅器６４へ転送する。増幅器６４は、信号を増幅して、当該信号を関連カプラ６０ａへ転送する。
【０１２１】
ＥＭＳ１２４は、他のノード４４または光ネットワーク１０の他の構成要素によって送信された制御メッセージを処理して、それに応じてノード４４の動作を調節してもよい。特に、ＥＭＳ１２４は、ＥＭＳ１２４によって受信された制御メッセージに応答して、スイッチ１８６、送信器１０４、受信器１０２、および／またはノード４４の任意の他の適切な要素を再構成してもよい。一例として、ＥＭＳ１２４は、設定メッセージを受信することに応答して、ノード４４の１つまたはそれ以上のスイッチ１８６を構成して、特定の波長で伝搬するトラフィックを通過させるか、または停止してもよい。さらに、ＥＭＳ１２４は、他のノード４４または光ネットワーク１０の他の構成要素へ送信するための制御メッセージを生成してもよい。例えば、ＥＭＳ１２４は、設定メッセージ、開始メッセージ、要求メッセージ、および／または任意の他の適切な種類の制御メッセージに関連した電子信号を生成して、これらの電子信号をＯＳＣ送信器１１６へ通信して、適切な制御メッセージを表わす光信号を関連搬送部１８０へ送信するようにしてもよい。その後、これらの制御メッセージは、適宜、ファイバ１６または１８上の光トラフィックへ挿入されてもよい。
【０１２２】
ところで、各デマルチプレクサ１８２は、関連ファイバ１６および１８上を伝搬する受信された光信号を多重分離して、その構成要素波長にする。多重分離された各波長におけるトラフィックは、その後、関連ドロップカプラ６０ａへ転送される。各ドロップカプラ６０ａは、受信されたトラフィックを２つのコピーに分割して、その１つは、関連スイッチ１３２に分岐される。各カプラ６０ａは、当該特定のカプラ６０ａへデマルチプレクサ１８２から転送されたトラフィックの波長に関連するバーストポンダ１５０のポートに（ドロップスイッチ１３２を介して）結合される。このように、分岐された光信号の特定の波長におけるトラフィックが、バーストポンダ１５０へ転送される。
【０１２３】
バーストポンダ１５０は、カプラ６０ａ（ドロップスイッチ１３２の位置によって、特定の波長において受信されたトラフィックがリング１６に関連したカプラ６０ａからのものか、またはリング１６に関連したカプラ６０ａからのものかが決まる）から出力される特定の波長を受信する。特定の分岐されたトラッフィクライアントの波長に関連するバーストポンダ１５０における受信器１０２は、光トラフィックを受信して、電気トラフィックに変換する。各受信器１０２によって生成された電気トラフィックは、その後、切り換え部１６０に出力される。繰り返すが、ノード４４の特定の実施形態において、バーストポンダ１５０は、バッファを含んでもよく、受信器１０２の出力は、１つまたはそれ以上のバッファに記憶されて、適時、切り換え部１６０へ送信されてもよい。
【０１２４】
ノード４０および／または４２と共に上述したように、切り換え部１６０は、バーストポンダ１５０によって出力された電気トラフィックを受信して、この電気トラフィックを任意の適切なやり方で切り換えて、この電気トラフィックをノード４４の適切なクライアント装置へ送信することを促進する。上述のように、切り換え部１６０は、また、切り換え部１６０に結合されたクライアント装置から電気トラフィックを受信して、この電気トラフィックを切り換えて、当該電気トラフィックをバーストポンダ１５０の適切なポートへ通信する。
【０１２５】
バーストポンダ１５０は、バーストポンダ１５０の１つまたはそれ以上のポート上で切り換え部１６０から電気トラフィックを受信する。バーストポンダ１５０のあるポートは、切り換え部１６０から電気トラフィックを受信するように構成され、これらの各ポートは、受信された電気トラフィックを当該ポートに関連したバーストポンダ１５０における特定の送信器１０４へ渡すようにしてもよい。各送信器１０４は、その後、切り換え部１６０から受信した電気トラフィックから光トラフィックを生成して、当該光トラフィックをリング１６または１８に関連したアドカプラ６０ｂ（アドスイッチ１４２の位置による）へ送信してもよい。その結果、トランスポンダ１５０の送信器１０４によって生成された光トラフィックを、適切なファイバ１６または１８に挿入してもよい。
【０１２６】
カプラ６０ａの動作に戻って、上述のようにドロップ信号を転送するのに加えて、各カプラ６０ａは、スルー信号を各関連スイッチ１８６へ転送する。スイッチ１８６の構成により、選択停止またはスルー信号の各チャンネルの転送が可能となる。ノード４４の特定の一実施形態において、ＥＭＳ１２４は、スイッチ１８６の動作を制御して、主査ノード４４ａから受信された設定メッセージに応答して、特定のファイバ１６または１８上で特定の波長での光進路を確立してもよい。特に、ノード４４が要求された光進路の内部上のノードを表わす場合、ＥＭＳ１２４は、光進路の波長に関連したスイッチ１８６を、当該ファイバ上を当該波長で伝搬するトラフィックがスイッチ１８６を通過することができるように構成してもよい。ノード４４が、光進路の最初または最後のノード４２を表わす場合には、ＥＭＳ１２４は、光進路の波長に関連したスイッチ１８６を、当該ファイバ上を特定の波長で伝搬する光信号を阻止するように構成してもよい。このように、光進路においてノードによって送信されたトラフィックは、光進路を去ることはない。これにより、複数の互いに重ならない光進路が、同一のファイバにおける同一の波長を使用して形成されてもよい。
【０１２７】
各スイッチ１８６の出力（もしあれば）は、関連アドカプラ６０ｂへ転送される。各アドカプラ６０ｂは、アドスイッチ１４２から、関連リング１６または１８に挿入すべきトラフィックを受信してもよく、このアドトラフィックを関連スイッチ１８６から転送されたトラフィック（もしあれば）に結合する。結合されたトラフィック（または、スイッチがカプラ６０ａからのトラフィックを停止する場合は、単なるアドトラフィック）は、その後、マルチプレクサ１８４へ転送される。マルチプレクサ１８４は、アドカプラ６０ｂから受信された各波長におけるトラフィックを多重して、その後、この多重トラフィックを関連増幅器６４およびＯＳＣ退出フィルタ６６ｂへ転送する。各ＯＳＣ退出フィルタ６６ｂは、関連ＯＳＣ送信器１１６からのＯＳＣ信号を結合された光信号に挿入して、結合された新たな信号を退出搬送信号として光ネットワーク１０の関連ファイバ１６または１８へ転送する。
【０１２８】
図５Ａ〜５Ｃは、光進路３３０（図５Ｃに示す）を確立する際の光ネットワークのノードの動作例を示す。特に、図５Ａ〜５Ｃは、特定のノード３１４が、当該ノード３１４のクライアント装置から電気トラフィックを受信することに応答して、光進路３３０を確立しようと試みる際の、光ネットワークの特定の一実施形態の動作例を示す。図５Ａ〜５Ｃに示すノード３１４と、ファイバ３１６および３１８とは、完全な光ネットワークを表わしてもよいし、または、図１に示す光ネットワーク１０のような、より大きい光ネットワークの一部を表わしてもよい。直線状に結合されるように示されているが、ノード３１４は、リング状、網目状、または任意の他の適切なやり方で結合されてもよい。例えば、ノード３１４ａ〜ｆは、図１のネットワーク１０のノード１４ａ〜ｆを表わしてもよい。さらに、ノード３１４は、任意の適切な設計を有してもよい。一例として、ノード３１４は、図２〜４に示すノード４０，４２，または４４の構成、もしくは任意の他の適切な構成を使用して構成されてもよい。
【０１２９】
図５Ａは、ノード３１４ａ（以下では、「主査ノード３１４ａ」と称する）が電気トラフィック３１０を主査ノード３１４ａに結合されたクライアント装置から受信する際の、光ネットワークの動作例を示す。電気トラフィックに基づいて光トラフィックを送信には、主査ノード３１４ａは、光進路３３０が、ファイバ３１６に沿って主査ノード３１４ａとノード３１４ｅ（以下では、「終端ノード３１４ｅ」と称する）との間に確立すべきであると判断する。上記のように、主査ノード３１４ａは、主査ノード３１４ａと終端ノード３１４ｅとを結合する他の光進路上を流れる光トラフィックの量が所定の閾値を超えると判断したことに応答して、光進路３３０の確立を決定してもよい。代わりに、任意の他のノードまたは装置が、任意の適切な目的で光進路３３０の確立を開始できる。
【０１３０】
主査ノード３１４ａは、この光進路３３０の確立を行うことで、光りネットワークの中で光進路３３０を構成するネットワークのグループの起端となる。
【０１３１】
主査ノード３１４ａは、１つまたはそれ以上の制御メッセージをＯＳＣまたは他の制御チャンネル上の終端ノード３１４ｅおよび／または他のノード３１４へ送ることによって、光進路３３０を確立できる。本明細書で使用されているように、「メッセージ」とは、１つまたはそれ以上のパルス、パケット、フレーム、または任意の他の適切な形式で構成された情報を表わしてもよい。例えば、特定の一実施形態において、主査ノード３１４ａは、設定メッセージ３４０を、終端ノード３１４ｆと、この特定の主査ノード３１４ａと終端ノード３１４ｅとの間のすべてのノード３１４ｂ〜ｅとに対して、トラフィックの方向で送信する。光進路に含まれるべき、主査ノードと終端ノードとの間のこれらのノードは、「介在ノード」と称されてもよい（しかしながら、主査ノードと終端ノードとの間のすべてのノードが光進路に含まれる必要はないことに注意すべきである）。光ネットワークの構成によっては、主査ノード３１４ａは、設定メッセージを、光トラフィックがファイバ３１６上を流れているのと同じ方向、反対方向（例えば、ファイバ３１８上のＯＳＣ）、または両方向（例えば、ファイバ１６および１８の両方上でのＯＳＣ）で、ＯＳＣ上を送信してもよい。図示の例において、ＯＳＣは、ファイバ３１６上でデータ（トラフィック）を送信するのに使用される波長とは別個の波長を表わすと想定されており、主査ノード３１４ａは、設定メッセージ３４０を、ファイバ３１６で、トラフィックがファイバ３１６上を伝搬している方向で送信する。
【０１３２】
設定メッセージ３４０は、主査ノード３１４ａと終端ノード３１４ｅとを識別し、光進路３３０上で送信するのに使用されるべき方向および波長を特定し、および／または、介在ノード３１４ｂ〜ｄおよび終端ノード３１４ｅとによって使用されて光進路３３０を確立する任意の他の適切な情報を含んでもよい。介在ノード３１４ｂ〜ｄは、受領確認メッセージなどの、終端ノード３１４ｅが光進路３３０を確立する準備ができた旨の終端ノード３１４ｅからの適切な指示を受信するまで、設定メッセージ３４０を記憶してもよい。
【０１３３】
図５Ｂは、終端ノード３１４ｅが設定メッセージ３４０を受信後の光ネットワークの動作例を示す。設定メッセージ３４０を受信することに応答して、終端ノード３１４ｅは、終端ノード３１４ｅの波長阻止部を再構成して、要求された光進路３３０に関連した波長で伝搬するトラフィックがファイバ３１６上の終端ノード３１４ｅを通り過ぎて継続することを防止できる。いったん終端ノード３１４ｅが波長阻止部を構成すると、または設定メッセージ３４０の受信後の任意の他の適切な時に、終端ノード３１４ｅは、受領確認メッセージ３５０を主査ノード３１４ａおよび／または介在ノード３１４ｂ〜ｄへ送信する。受領確認メッセージ３５０は、受領確認メッセージを受領したノード３１４に対して、終端ノード３１４ｅは光進路３３０を確立する準備ができたことを示す。主査ノード３１４ａおよび／または介在ノード３１４ｂ〜ｄは、受領確認メッセージ３５０または終端ノード３１４ｆからの他の適切な形式の指示を受信することに応答して、任意の適切なやり方で自身を構成して、光進路の確立を行うことができる。例えば、介在ノード３１４ｂ〜ｄは、それぞれ、各ノード３１４の波長阻止部を再構成して、光進路３３０に関連した波長が当該特定のノード３１４を通過できるようにしてもよい。加えて、図２〜４に関して上述したように、主査ノード３１４ａは、主査ノード３１４ａの波長阻止部を再構成して、ファイバ３１６を当該波長で伝搬するトラフィックを阻止してもよい。光進路３３０に関連した波長でファイバ３１６を伝搬するトラフィックを阻止することによって、主査ノード３１４ａは、光進路３３０と重ならない他の光進路が、光進路３３０上を送信されるトラフィックと干渉せずに、光進路３３と同じ波長を使用することができるようにしてもよい。
【０１３４】
加えて、各ノード３１４は、光ネットワーク１０上に確立された光進路または当該ノード３１４が結合される光進路に関する情報を保持する光進路テーブルまたはマトリックスを保持してもよい。これら光進路テーブルは、当該光進路に関する任意の適切な情報を含んでもよい。例えば、光進路テーブルは、各光進路の主査ノードおよび終端ノードを指定する情報、各光進路に関連した波長、光進路が現在使用されているかどうか、および／または各光進路についての任意の他の適切な情報を含んでもよい。
【０１３５】
図５Ｃは、ノード３１４ａが受領確認メッセージ３５０を受信して、任意の適切な再構成を行った後の光ネットワーク１０の状態を示す。主査ノード３１４ａ、介在ノード３１４ｂ〜ｄ、および終端ノード３１４ｆの再構成の結果、主査ノード３１４ａを各介在ノード３１４ｂ〜ｄと終端ノード３１４ｅとに結合する光進路３３０が形成される。いったん光進路３３０が確立されると、主査ノード３１４ａおよび／または介在ノード３１４ｂ〜ｄは、光進路３３０を使用して、下流の介在ノード３１４ｂ〜ｄまたは終端ノード３１４ｅへの送信を行うことができる。確立された光進路上で光トラフィック送信する際のノードの動作例を、図６Ａおよび６Ｂに関して、以下に説明する。
【０１３６】
図６Ａおよび６Ｂは、光進路に含まれるノード間で光進路を共有するための光進路の時間枠の使用を示す。図示のように、光進路が確立されるデータチャンネル／波長（λＬＴ）は、複数の時間枠４１０または４２０に分割されて、光進路に含まれるノード間の光進路の共有を可能にしてもよい。構造化された時分割多重（ＴＤＭ）システムとは異なり、これらの時間枠は、ヘッダおよび／または他の制御情報のような構造を含むフレームまたはセルではない。これらは、単に、光進路において互いに異なるノードに割り当てられる、データチャンネル上の特定の期間であってもよい。さらに、各時間枠４１０または４２０間には、ギャップまたはパッド４３０があってもよい。
【０１３７】
光進路のデータチャンネルにおける各時間枠の期間は、等しくてもよいし、異なってもよい。例えば、図６Ａは、光進路の使用を割り当てるための「ラウンドロビン」手法例を示し、そこにおいては、光進路における各ノードに関連した時間枠４１０が等しい。時間枠例４１０は、一例として、ノード３１４ａ〜ｅを含む図５Ｃの光進路３３０と関連付けられてもよい。その場合、任意のノード３１４ａ〜ｅが、光進路３１４上のデータを送信してもよい（終端ノードとしてのノード３１４ｅは、光進路上ではデータを送信しない）。したがって、各ノード３１４ａ〜ｅに、ノード３１４がデータを送信しうる関連時間枠４１０が割り当てられてもよい。図示の例において、ノード３１４ａには、時間枠４１０ａ（「Ａ」で識別）が割り当てられ、ノード３１４ｂには、時間枠４１０ｂ（「Ｂ」で識別）が割り当てられ、ノード３１４ｃには、時間枠４１０ｃ（「Ｃ」で識別）が割り当てられ、ノード３１４ｄには、時間枠４１０ｄ（「Ｄ」で識別）が割り当てられている。これらの時間枠４１０の大きさは等しいので、各ノードは、同じトラフィック量を光進路上で送信することができる。各ノードは、互いに異なる量かつ互いに異なるレートで送信されるデータを受信することがあるので、それに従って、各ノードは、送信されるトラフィックをバッファしてもよい。
【０１３８】
しかしながら、この「ラウンドロビン」システムにおいては、あるノードは関連時間枠４１０で与えられるよりも高いレートでデータを送信する必要があり、光進路における他のノードは、関連時間枠４１０で与えられる帯域幅／容量を必要としない場合もある。この問題に対処するのに、図６Ｂに示すような「重み付けラウンドロビン」手法を使用してもよい。各ノードに関連した時間枠４２０の期間が異なってもよい。言い換えれば、送信が行われる光進路の帯域幅があるノードに対しては他のノードよりも多く割り当てられるように、時間枠の長さは重み付けされてもよい。繰り返すが、時間枠例４２０は、一例として、ノード３１４ａ〜ｅを含む図５Ｃの光進路３３０と関連付けられてもよい。図示の例において、ノード３１４ａには、他のノードに関連付けられた時間枠４２０よりも期間が長い時間枠４２０ａ（「Ａ」で識別）が割り当てられ、ノード３１４ｂには、時間枠４２０ｂ（「Ｂ」で識別）が割り当てられ、ノード３１４ｄには、同じ大きさでかつ枠４２０ａより小さい時間枠４２０ｄ（「Ｄ」で識別）が割り当てられ、ノード３１４ｃには、枠４２０ａ〜ｃより小さい時間枠４２０ｃ（「Ｃ」で識別）が割り当てられている。このようにして、高い帯域幅要件を有する光進路上のノードには、送信のためにより多くの容量が与えられてもよい。他の実施形態において、同じ大きさの時間枠を使用するが、あるノードには他のノードよりもより多くの時間枠を割り当てることで、この同じ結果を達成してもよい。
【０１３９】
枠４１０および４２０の期間は、ネットワークが最初に構成されるとき（必要に応じて変更されてもよい）、光進路が確立されるとき、または任意の他の適切な時に、ＮＭＳ１２６を介して構成されてもよい。特定の実施形態において、枠４１０および４２０の期間は、光進路が確立されているときに、ＮＭＳ１２６または光進路の終端ノードの他の適切な構成要素から通信される。終端ノードは、光進路における他のノードへ、各ノードに関連した時間枠の期間および位置を示す制御メッセージを送る。時間枠を構成および使用するための特定の手法例を本明細書において説明したが、任意の他の適切な手法を使用してもよいことが理解されるべきである。
【０１４０】
本実施構成における光進路を構成するネットワークグループは光ネットワーク内を構成する全てのノードで構成しても良いし、図１のように光ネットワーク内のノードの一部の区間であっても良い。さらに、光ネットワーク内に光進路を構成するノードの区間を複数設けても良い。さらに、複数の光進路を設けた場合は、複数の光進路が重なりあっても良い。この場合は各光進路で使用される光りの波長は異なる波長である必要がある。
【０１４１】
本発明をいくつかの実施形態と共に説明してきたが、様々な変更および修正が当業者に提案されるだろう。本発明はそのような変更および修正を添付の請求項の範囲内に収まるように含むことが意図されている。
【０１４２】
（付記１）  
１．複数のノード間の複数の多重化された波長において光トラフィックを搬送するように動作可能な光ネットワークであって、
主査ノードと終端ノードとの間の光ネットワークにおいて確立された少なくとも１つの光進路であって、主査ノードと、１つまたはそれ以上の介在ノードと、終端ノードとを結合し、複数の波長のうちの１つに関連する、光進路と、
少なくとも１つの光進路に関連した波長と異なる波長に関連した帯域外制御チャンネルであって、１つまたはそれ以上の制御メッセージを通信して光進路を確立し、かつ、主査ノードおよび介在ノードによる光進路の使用を割り当てるために使用される、制御チャンネルとを備え、
主査ノード、１つまたはそれ以上の介在ノード、および終端ノードのそれぞれは、１つまたはそれ以上の光学的構成要素を備え、光学的構成要素は、
複数の多重化された波長において光トラフィックを光ネットワークから受信し、多重化された光トラフィックの第１のコピーを光ネットワークから分岐し、多重化された光トラフィックの第２のコピーを光ネットワーク上で転送し、
多重化された光トラフィックの分岐された第１のコピーを受信し、複数の波長のうちの選択された波長において光トラフィックを転送して、ノードに関連した１つまたはそれ以上のクライアント装置への通信に供し、
ノードの１つまたはそれ以上のクライアント装置から受信されたトラフィックを１つまたはそれ以上の波長におけるクライアント光トラフィックに変換し、
クライアント光トラフィックを第２のコピーまたは第２のコピーの修正版に受動的に挿入して結合された信号を形成し、結合された信号をネットワークへ転送するように動作可能である、光ネットワーク。
【０１４３】
（付記２）
１つまたはそれ以上の光学的構成要素は、第１のコピーを分岐し、第２のコピーを転送し、クライアント光トラフィックを転送された第２のコピーまたは転送された第２のコピーの修正版に受動的に挿入するように動作可能な１つまたはそれ以上の光カプラを含む、付記１に記載の光ネットワーク。
【０１４４】
（付記３）
１つまたはそれ以上のカプラは、単一のカプラを備える、付記２に記載の光ネットワーク。
【０１４５】
（付記４）
１つまたはそれ以上のカプラは、
第１のコピーを分岐し、第２のコピーを転送するように構成されたドロップカプラと、
クライアント光トラフィックを転送された第２のコピーまたは転送された第２のコピーの修正版に受動的に挿入するように構成されたアドカプラとを備える、
付記２に記載の光ネットワーク。
【０１４６】
（付記５）
主査ノード、１つまたはそれ以上の介在ノード、および終端ノードのそれぞれは、多重化された光トラフィックの第２のコピーを受信し、かつ、多重化された波長のうちの１つまたはそれ以上においてトラフィックを停止して第２のコピーの修正版を作成するように動作可能な波長阻止部をさらに備える、付記１に記載の光ネットワーク。
【０１４７】
（付記６）
波長阻止部は、波長選択スイッチを備える、付記５に記載の光ネットワーク。
【０１４８】
（付記７）
各介在ノードは、光進路の確立に応答して、光進路に関連した波長で伝搬する光トラフィックが当該介在ノードを通過できるように、当該介在ノードの波長阻止部を構成するように動作可能である、付記５に記載の光ネットワーク。
【０１４９】
（付記８）
主査ノードは、光進路に関連した波長で伝搬する光トラフィックが主査ノードを通過できるように、主査ノードの波長阻止部を構成するように動作可能であり、
終端ノードは、光進路に関連した波長で伝搬する光トラフィックが終端ノードを通過して、よって光進路を切り離すことができるように、終端ノードの波長阻止部を構成するように動作可能である、付記５に記載の光ネットワーク。
【０１５０】
（付記９）
主査ノード、１つまたはそれ以上の介在ノード、および終端ノードのそれぞれは、分岐された第１のコピーを受信し、第１のコピーの複数の多重化された波長のサブセットにおける光トラフィックを、ノードの１つまたはそれ以上のクライアント装置へ転送するように動作可能な１つまたはそれ以上の光学的構成要素をさらに備える、付記１に記載の光ネットワーク。
【０１５１】
（付記１０）
分岐された第１のコピーを受信し、複数の多重化された波長のサブセットにおける光トラフィックを転送するように動作可能な１つまたはそれ以上の光学的構成要素は、波長選択スイッチを備える、付記９に記載の光ネットワーク。
【０１５２】
（付記１１）
分岐された第１のコピーを受信し、複数の多重化された波長のサブセットにおける光トラフィックを転送するように動作可能な１つまたはそれ以上の光学的構成要素は、
分岐された第１のコピーの複数のコピーを作成するように動作可能な１つまたはそれ以上の光カプラと、
複数のフィルタであって、各フィルタは、複数のコピーのうちの１つを受信し、関連コピーの１つまたはそれ以上の波長において光トラフィックを転送し、残りの波長において光トラフィックを停止するように動作可能である、フィルタとを備える、付記９に記載の光ネットワーク。
【０１５３】
（付記１２）
光ネットワークにおいてトラフィックを送信するための方法であって、光ネットワークは、複数のノード間の複数の多重化された波長において光トラフィックを搬送するように動作可能であり、
主査ノードと終端ノードとの間の光ネットワークにおいて少なくとも１つの光進路を確立することであって、光進路は、主査ノードと、１つまたはそれ以上の介在ノードと、終端ノードとを結合し、光進路は、複数の波長のうちの１つに関連し、光進路を確立することは、光進路に関連した波長と異なる波長に関連した帯域外制御チャンネル上で、１つまたはそれ以上の制御メッセージを送信することを含み、
主査ノード、１つまたはそれ以上の介在ノード、および終端ノードにおいて、    複数の多重化された波長において光トラフィックを光ネットワークから受信し、多重化された光トラフィックの第１のコピーを光ネットワークから分岐し、多重化された光トラフィックの第２のコピーを光ネットワーク上で転送し、
多重化された光トラフィックの分岐された第１のコピーを受信し、複数の波長のうちの選択された波長において光トラフィックを転送して、ノードに関連した１つまたはそれ以上のクライアント装置への通信に供し、
ノードの１つまたはそれ以上のクライアント装置から受信されたトラフィックを１つまたはそれ以上の波長におけるクライアント光トラフィックに変換し、
クライアント光トラフィックを第２のコピーまたは第２のコピーの修正版に受動的に挿入して結合された信号を形成し、結合された信号をネットワークへ転送することを含む、方法。
【０１５４】
（付記１３）
主査ノード、１つまたはそれ以上の介在ノード、および終端ノードはそれぞれ、第１のコピーを分岐し、第２のコピーを転送し、クライアント光トラフィックを転送された第２のコピーまたは転送された第２のコピーの修正版に受動的に挿入するように動作可能な１つまたはそれ以上の光カプラを含む、付記１２に記載の方法。
【０１５５】
（付記１４）
１つまたはそれ以上のカプラは、単一のカプラを備える、付記１３に記載の方法。
【０１５６】
（付記１５）
１つまたはそれ以上のカプラは、
第１のコピーを分岐し、第２のコピーを転送するように構成されたドロップカプラと、
クライアント光トラフィックを転送された第２のコピーまたは転送された第２のコピーの修正版に受動的に挿入するように構成されたアドカプラとを備える、付記１３に記載の方法。
【０１５７】
（付記１６）
主査ノード、１つまたはそれ以上の介在ノード、および終端ノードにおいて波長阻止部を使用して、多重化された光トラフィックの第２のコピーを受信し、かつ、多重化された波長のうちの１つまたはそれ以上においてトラフィックを停止して第２のコピーの修正版を作成することをさらに含む、付記１２に記載の方法。
【０１５８】
（付記１７）
波長阻止部は、波長選択スイッチを備える、付記１６に記載の方法。
【０１５９】
（付記１８）
光進路の確立に応答して、光進路に関連した波長で伝搬する光トラフィックが各介在ノードを通過できるように、各介在ノードの波長阻止部を構成することをさらに含む、付記１６に記載の方法。
【０１６０】
（付記１９）
光進路の確立に応答して、光進路に関連した波長で伝搬する光トラフィックが主査ノードおよび終端ノードを通過して、よって光進路を切り離すことができるように、主査ノードおよび終端ノードの波長阻止部を構成することをさらに含む、付記１６に記載の方法。
【０１６１】
（付記２０）
主査ノード、１つまたはそれ以上の介在ノード、および終端ノードにおいて、
分岐された第１のコピーを受信することと、
第１のコピーの複数の多重化された波長のサブセットにおいて光トラフィックをノードの１つまたはそれ以上のクライアント装置へ転送することとをさらに含む、付記１２に記載の方法。
【０１６２】
（付記２１）
受信転送ステップは、波長選択スイッチを使用して行われる、付記２０に記載の方法。
【０１６３】
（付記２２）
受信および転送ステップは、
分岐された第１のコピーの複数のコピーを作成するように動作可能な１つまたはそれ以上のカプラと、
複数のフィルタであって、各フィルタは、複数のコピーのうちの１つを受信し、関連コピーの１つまたはそれ以上の波長において光トラフィックを転送し、残りの波長において光トラフィックを停止するように動作可能である、付記２０に記載の方法。
【０１６４】
（付記２３）
複数のノード間で光トラフィックを送信する光ネットワークにおいて、
該光ネットワークの該複数のノードは光伝送路に沿って起端となる主査ノードと、終端となる終端ノードと、該主査ノードと該終端ノードの間にある該ノードでネットワークグループを構成し、
該終端ノードは該ネットワークグループの伝送路の使用を割り当てる制御信号を該ネットワークグループの中の該主査ノードと，該主査ノードと該終端ノードの間の該ノードに対して送信する
ことを特徴とする光ネットワーク。
【０１６５】
（付記２４）
付記２３の光ネットワークにおいて、該ネットワークグループで送る光トラフィックは第１の波長であり、該制御信号は該第１の波長と異なる第２の波長であることを特徴とする光ネットワーク。
【０１６６】
（付記２５）
付記２３の光ネットワークにおいて、該ノードは前段の該ノードからの光を２分岐し、一方を後段の該ノードに送り、他方を自ノードに取り込むことを特徴とする光ネットワーク。
【０１６７】
（付記２６）
光ネットワーク内で光トラフィックを送信するノードにおいて、
該ノードは該光ネットワーク内の光伝送路に沿って配置されている複数のノードで構成されたネットワークグループの該光伝送路の終端のノードであって、
該光伝送路の使用を割り当てる制御信号を該ネットワークグループの中の該伝送路の起端にあるノードと，該起端にあるノードと該終端にあるノードの間のノードに対して送信する
ことを特徴とするノード。
【０１６８】
（付記２７）
光ネットワーク内で光トラフィックを送信するノードにおいて、
該ノードは該光ネットワーク内の光伝送路に沿って配置されている複数のノードで構成されたネットワークグループの起端のノードであって、
該光伝送路に沿って配置されている他のノードに該ネットワークグループを構成するための制御信号を送信する
ことを特徴とするノード。
【０１６９】
（付記２８）
光ネットワーク内で光トラフィックを送信するノードにおいて、
該光ネットワーク内の他のノードと光伝送路に沿って光ネットワークグループを構成するための信号を送信するための手段と、
該ネットワークグループ内の他のノードに該光伝送路の使用を割り当てる制御信号を送信するための手段
を有することを特徴とするノード。
【図面の簡単な説明】
【０１７０】
【図１】本発明の一実施形態に係る、光進路が実施されうる光リングネットワークを示すブロック図
【図２】光進路を実施する光ネットワークにおいて使用されうるノードの特定の実施形態を示すブロック図
【図３】光進路を実施する光ネットワークにおいて使用されうるノードの特定の実施形態を示すブロック図
【図４】光進路を実施する光ネットワークにおいて使用されうるノードの特定の実施形態を示すブロック図
【図５】図５Ａ〜５Ｃは、光進路を確立する際の光ネットワークのノードの動作例を示し、
【図６】図６Ａおよび６Ｂは、光進路に含まれるノード間で光進路を共有するための光進路の時間枠の使用を示す図
【符号の説明】
【０１７１】
１４  ノード
１６  第１のファイバ
１８  第２のファイバ
３１４  ノード
３１４ａ  主査ノード
３１４ｂ、３１４ｃ、３１４ｄ  介在ノード
３１４ｅ  終端ノード
３１４ｆ  終端ノード
４０、４２、４４  ノード
５０ａ、５０ｂ  搬送部
１２０  管理部
１５０  バーストポンダ
１６０  切り替え部
【図１】
2006262479.tif 000003
【図２】
2006262479.tif 000004
【図３】
2006262479.tif 000005
【図４】
2006262479.tif 000006
【図５】
2006262479.tif 000007
【図６】
2006262479.tif 000008